(57)【特許請求の範囲】
【請求項１】
基材上に、少なくとも第１の色インキにより形成された第１の画像と、前記第１の色インキより低明度の第２色インキにより、前記第１の画像と少なくとも一部が重複するように形成された第２の画像を備え、
前記第１の画像は、埋め込むべき情報に応じた周波数成分が抽出されるように設定された所定の間隔を有する同心形万線で形成され、
前記第２の画像は、Ｉ）乃至ＩＩＩ）のいずれか一つによって形成され、
前記Ｉ）は、第１の画線、第２の画線及び第３の画線を有し、第１の方向に沿って、一定のピッチで中心を境に対向するように配置された前記第１の画線及び前記第２の画線と、前記第１の画線及び前記第２の画線が存在しない領域に配置された前記第３の画線がユニット内に形成され、前記ユニットは一定のピッチで前記第１の方向及び前記第１の方向と直交する第２の方向にマトリクス状に配置されており、前記ユニットのピッチの１／２又は略１／２のピッチで前記第１の画線及び前記第２の画線が形成され、各々の前記ユニットにおける前記第１の画線と前記第２の画線は、いずれか一方がオンの場合、他方がオフの関係にあり、かつ、面積が同一又は略同一であり、前記第１の画線により第１の不可視画像のポジ画像又はネガ画像のいずれか一方が形成され、前記第２の画線により前記第１の不可視画像のネガ画像又はポジ画像の他方が形成され、前記第３の画線により可視画像が形成され、
前記ＩＩ）は、第３の画線、第４の画線及び第５の画線を有し、第２の方向に沿って、一定のピッチで中心を境に対向するように配置された前記第４の画線及び前記第５の画線と、前記第４の画線及び前記第５の画線が存在しない領域に配置された前記第３の画線がユニット内に形成され、前記ユニットは一定のピッチで前記第１の方向及び前記第１の方向と直交する第２の方向にマトリクス状に配置されており、前記ユニットのピッチの１／２又は略１／２のピッチで前記第４の画線及び前記第５の画線が形成され、各々の前記ユニットにおける前記第４の画線と前記第５の画線は、いずれか一方がオンの場合、他方がオフの関係にあり、かつ、面積が同一又は略同一であり、前記第４の画線により第２の不可視画像のポジ画像又はネガ画像のいずれか一方が形成され、前記第５の画線により前記第２の不可視画像のネガ画像又はポジ画像の他方が形成され、前記第３の画線により可視画像が形成され、又は、
前記ＩＩＩ）は、第１の画線、第２の画線、第３の画線、第４の画線及び第５の画線を有し、第１の方向に沿って、一定のピッチで中心を境に対向するように配置された前記第１の画線及び前記第２の画線と、前記第１の方向と直交する第２の方向に沿って、一定のピッチで中心を境に対向するように配置された前記第４の画線及び前記第５の画線と、前記第１の画線、前記第２の画線、前記第４の画線及び前記第５の画線が存在しない領域に配置された前期第３の画線がユニット内に形成され、前記ユニットは一定のピッチで前記第１の方向及び前記第１の方向と直交する第２の方向にマトリクス状に配置されており、前記ユニットのピッチの１／２又は略１／２のピッチで前記第１の画像及び第２の画線が形成され、前記ユニットのピッチの１／２又は略１／２のピッチで前記第４の画像及び第５の画線が形成され、各々の前記ユニットにおける前記第１の画線と前記第２の画線は、いずれか一方がオンの場合、他方がオフの関係にあり、かつ、面積が同一又は略同一であり、前記第４の画線と前記第５の画線は、いずれか一方がオンの場合、他方がオフの関係にあり、かつ、面積が同一又は略同一であり、前記第１の画線により第１の不可視画像のポジ画像又はネガ画像のいずれか一方が形成され、前記第２の画線により前記第１の不可視画像のネガ画像又はポジ画像の他方が形成され、前記第４の画線により第２の不可視画像のポジ画像又はネガ画像のいずれか一方が形成され、前記第５の画線により前記第２の不可視画像のネガ画像又はポジ画像の他方が形成され、前記第３の画線により可視画像が形成されたことを特徴とする偽造防止用印刷物。
【請求項２】
前記Ｉ）の場合において、前記第１の方向に沿って隣接して配置された二つの前記ユニットが、一方の前記ユニット内の前記第１の画線がオン、他方の前記ユニット内の前記第２の画線がオンとなり、前記第１の画線及び前記第２の画線の画線間が前記ユニットの略１．５個分の非画線部が生じた場合において、前記第１の画線及び前記第２の画線の画線間の中心に前記第１の画線又は前記第２の画線における半分又は略半分の画線面積率、かつ、同色である前記第１の不可視画像の濃度の不均衡を緩和するための第１の濃度を緩和する画線が配置され、
前記第１の方向に沿って隣接して配置された三つの前記ユニットが、中央の前記ユニットには前記第１の画線及び前記第２の画線が共にオフ、前記中央の前記ユニットに対して一方に隣接された前記ユニット内の前記第１の画線がオン、他方の前記ユニット内の前記第２の画線がオンとなり、前記第１の画線及び前記第２の画線の画線間が前記ユニットの略１．５個分の非画線部が生じた場合において、前記第１の画線及び前記第２の画線の画線間の中心に前記第１の画線又は前記第２の画線における半分又は略半分の画線面積率、かつ、同色である前記第１の不可視画像の濃度の不均衡を緩和するための第２の濃度を緩和する画線が配置され、
前記第１の方向に沿って隣接して配置された三つの前記ユニットが、中央の前記ユニットには前記第１の画線及び前記第２の画線が共にオフ、前記中央の前記ユニットに対して一方に隣接された前記ユニット内の前記第１の画線がオン、他方の前記ユニット内の前記第１の画線がオン、又は、前記中央の前記ユニットに対して一方に隣接された前記ユニット内の前記第２の画線がオン、他方の前記ユニット内の前記第２の画線がオンとなり、前記第１の画線の画線間又は前記第２の画線の画線間が前記ユニットの略２個分の非画線部が生じた場合において、前記第１の画線又は前記第２の画線の画線間の中心に前記第１の画線又は前記第２の画線における半分又は略半分の画線面積率、かつ、同色である前記第１の不可視画像の濃度の不均衡を緩和するための前記第１の濃度を緩和する画線及び前記第２の濃度を緩和する画線が配置され、
前記ＩＩ）の場合において、前記第２の方向に沿って隣接して配置された二つの前記ユニットが、一方の前記ユニット内の前記第４の画線がオン、他方の前記ユニット内の前記第５の画線がオンとなり、前記第４の画線及び前記第５の画線の画線間が前記ユニットの略１．５個分の非画線部が生じた場合において、前記第４の画線及び前記第５の画線の画線間の中心に前記第４の画線又は前記第５の画線における半分又は略半分の画線面積率、かつ、同色である前記第２の不可視画像の濃度の不均衡を緩和するための第３の濃度を緩和する画線が配置され、
前記第２の方向に沿って隣接して配置された三つの前記ユニットが、中央の前記ユニットには前記第４の画線及び前記第５の画線が共にオフ、前記中央の前記ユニットに対して一方に隣接された前記ユニット内の前記第４の画線がオン、他方の前記ユニット内の前記第５の画線がオンとなり、前記第４の画線及び前記第５の画線の画線間が前記ユニットの略１．５個分の非画線部が生じた場合において、前記第４の画線及び前記第５の画線の画線間の中心に前記第４の画線又は前記第５の画線における半分又は略半分の画線面積率、かつ、同色である前記第２の不可視画像の濃度の不均衡を緩和するための第４の濃度を緩和する画線が配置され、
前記第２の方向に沿って隣接して配置された三つの前記ユニットが、中央の前記ユニットには前記第４の画線及び前記第５の画線が共にオフ、前記中央の前記ユニットに対して一方に隣接された前記ユニット内の前記第４の画線がオン、他方の前記ユニット内の前記第４の画線がオン、又は、前記中央の前記ユニットに対して一方に隣接された前記ユニット内の前記第５の画線がオン、他方の前記ユニット内の前記第５の画線がオンとなり、前記第４の画線の画線間又は前記第５の画線の画線間が前記ユニットの略２個分の非画線部が生じた場合において、前記第４の画線又は前記第５の画線の画線間の中心に前記第４の画線又は前記第５の画線における半分又は略半分の画線面積率、かつ、同色である前記第２の不可視画像の濃度の不均衡を緩和するための前記第３の濃度を緩和する画線及び前記第４の濃度を緩和する画線が配置され、
前記ＩＩＩ）の場合において、前記第１の方向に沿って隣接して配置された二つの前記ユニットが、一方の前記ユニット内の前記第１の画線がオン、他方の前記ユニット内の前記第２の画線がオンとなり、前記第１の画線及び前記第２の画線の画線間が前記ユニットの略１．５個分の非画線部が生じた場合において、前記第１の画線及び前記第２の画線の画線間の中心に前記第１の画線又は前記第２の画線における半分又は略半分の画線面積率、かつ、同色である前記第１の不可視画像の濃度の不均衡を緩和するための第１の濃度を緩和する画線が配置され、
前記第１の方向に沿って隣接して配置された三つの前記ユニットが、中央の前記ユニットには前記第１の画線及び前記第２の画線が共にオフ、前記中央の前記ユニットに対して一方に隣接された前記ユニット内の前記第１の画線がオン、他方の前記ユニット内の前記第２の画線がオンとなり、前記第１の画線及び前記第２の画線の画線間が前記ユニットの略１．５個分の非画線部が生じた場合において、前記第１の画線及び前記第２の画線の画線間の中心に前記第１の画線又は前記第２の画線における半分又は略半分の画線面積率、かつ、同色である前記第１の不可視画像の濃度の不均衡を緩和するための第２の濃度を緩和する画線が配置され、
前記第１の方向に沿って隣接して配置された三つの前記ユニットが、中央の前記ユニットには前記第１の画線及び前記第２の画線が共にオフ、前記中央の前記ユニットに対して一方に隣接された前記ユニット内の前記第１の画線がオン、他方の前記ユニット内の前記第１の画線がオン、又は、前記中央の前記ユニットに対して一方に隣接された前記ユニット内の前記第２の画線がオン、他方の前記ユニット内の前記第２の画線がオンとなり、前記第１の画線の画線間又は前記第２の画線の画線間が前記ユニットの略２個分の非画線部が生じた場合において、前記第１の画線又は前記第２の画線の画線間の中心に前記第１の画線又は前記第２の画線における半分又は略半分の画線面積率、かつ、同色である前記第１の不可視画像の濃度の不均衡を緩和するための前記第１の濃度を緩和する画線及び前記第２の濃度を緩和する画線が配置され、
前記第２の方向に沿って隣接して配置された二つの前記ユニットが、一方の前記ユニット内の前記第４の画線がオン、他方の前記ユニット内の前記第５の画線がオンとなり、前記第４の画線及び前記第５の画線の画線間が前記ユニットの略１．５個分の非画線部が生じた場合において、前記第４の画線及び前記第５の画線の画線間の中心に前記第４の画線又は前記第５の画線における半分又は略半分の画線面積率、かつ、同色である前記第２の不可視画像の濃度の不均衡を緩和するための第３の濃度を緩和する画線が配置され、
前記第２の方向に沿って隣接して配置された三つの前記ユニットが、中央の前記ユニットには前記第４の画線及び前記第５の画線が共にオフ、前記中央の前記ユニットに対して一方に隣接された前記ユニット内の前記第４の画線がオン、他方の前記ユニット内の前記第５の画線がオンとなり、前記第４の画線及び前記第５の画線の画線間が前記ユニットの略１．５個分の非画線部が生じた場合において、前記第４の画線及び前記第５の画線の画線間の中心に前記第４の画線又は前記第５の画線における半分又は略半分の画線面積率、かつ、同色である前記第２の不可視画像の濃度の不均衡を緩和するための第４の濃度を緩和する画線が配置され、
前記第２の方向に沿って隣接して配置された三つの前記ユニットが、中央の前記ユニットには前記第４の画線及び前記第５の画線が共にオフ、前記中央の前記ユニットに対して一方に隣接された前記ユニット内の前記第４の画線がオン、他方の前記ユニット内の前記第４の画線がオン、又は、前記中央の前記ユニットに対して一方に隣接された前記ユニット内の前記第５の画線がオン、他方の前記ユニット内の前記第５の画線がオンとなり、前記第４の画線の画線間又は前記第５の画線の画線間が前記ユニットの略２個分の非画線部が生じた場合において、前記第４の画線又は前記第５の画線の画線間の中心に前記第４の画線又は前記第５の画線における半分又は略半分の画線面積率、かつ、同色である前記第２の不可視画像の濃度の不均衡を緩和するための前記第３の濃度を緩和する画線及び前記第４の濃度を緩和する画線が配置されて成ることを特徴とする請求項１記載の偽造防止用印刷物。
【請求項３】
前記第１の色インキがイエロー（Ｙ）の色インキで形成され、
前記第２の色インキがシアン（Ｃ）、マゼンタ（Ｍ）及びブラック（Ｋ）の色インキの少なくとも一つで形成されることを特徴とする請求項１又は２記載の偽造防止用印刷物。
【請求項４】
前記Ｉ）の場合において、前記第１の画線、前記第２の画線、前記第１の濃度を緩和する画線及び前記第２の濃度を緩和する画線は、ブラック（Ｋ）の色インキで形成され、前記第３の画線は、シアン（Ｃ）及び／又はマゼンタ（Ｍ）の色インキで形成され、前記同心形万線は、イエロー（Ｙ）の色インキで形成され、
前記ＩＩ）の場合において、前記第４の画線、記第５の画線、前記第３の濃度を緩和する画線及び前記第４の濃度を緩和する画線は、ブラック（Ｋ）の色インキで形成され、前記第３の画線は、シアン（Ｃ）及び／又はマゼンタ（Ｍ）の色インキで形成され、前記同心形万線は、イエロー（Ｙ）の色インキで形成され、
前記ＩＩＩ）の場合において、前記第１の画線、前記第２の画線、前記第４の画線、記第５の画線、前記第１の濃度を緩和する画線、前記第２の濃度を緩和する画線、前記第３の濃度を緩和する画線及び前記第４の濃度を緩和する画線は、ブラック（Ｋ）の色インキで形成され、前記第３の画線は、シアン（Ｃ）及び／又はマゼンタ（Ｍ）の色インキで形成され、前記同心形万線は、イエロー（Ｙ）の色インキで形成されることを特徴とする請求項１乃至３のいずれか一項記載の偽造防止用印刷物。
【請求項５】
前記第３の画線は、画線の大小、画線の濃淡又は画線の粗密から選択される一つの方法によって連続階調から成る可視画像が形成され、前記同心形万線は、前記同心形万線の画線幅を連続的に違えることによって連続階調から成る可視画像が形成されていることを特徴とする請求項１乃至４のいずれか一項記載の偽造防止用印刷物。
【請求項６】
前記ユニットにおける一辺の長さが１ｍｍ以下であることを特徴とする請求項１乃至５のいずれか一項記載の偽造防止用印刷物。
【請求項７】
前記同心形万線が配置される領域は、下記に示すＩＶ）乃至ＶＩ）のいずれか一つによって形成され、
前記ＩＶ）は、前記同心形万線が配置される領域が複数分割され、前記複数に分割された各領域は、同一の中心点を共有する同心形万線が形成され、前記複数分割された各領域の同心形万線の画線の間隔は、前記領域ごとに異なる、
前記Ｖ）は、前記同心形万線が配置される領域が複数分割され、前記複数に分割された各領域は、前記領域ごとに異なる中心点を有して同心形万線が形成され、前記複数分割された各領域の同心形万線の画線の間隔は、前記領域ごとに異なる、又は
前記ＶＩ）は、前記同心形万線が配置される領域がリング状に複数分割され、前記複数に分割された各領域は、同一の中心点を共有する同心形万線が形成され、前記複数に分割された各領域の境界において、隣り合う一方の前記領域に備わる同心形万線の間隔と、他方の前記領域に備わる同心形万線の間隔との平均値からなる補間領域が設けられ、前記境界において同心形万線の連続性が保たれていることを特徴とする請求項１乃至６のいずれか一項記載の偽造防止用印刷物。
【請求項８】
前記同心形万線の画線の間隔が、前記ユニットの寸法よりも小さく、かつ５０μｍ〜３５０μｍであることを特徴とする請求項１乃至７のいずれか一項記載の偽造防止用印刷物。
【請求項９】
請求項１乃至８のいずれか一項記載の偽造防止用印刷物の作製装置であって、
前記偽造防止用印刷物の前記可視画像及び前記同心形万線のモチーフとなる画像を入力する画像入力手段と、
前記画像入力手段で得られた前記モチーフとなる画像を前記同心形万線に形成するための前記第１の色インキの画像データと、前記第１の色インキより低明度の前記可視画像を形成するための第２の色インキの画像データに色分解する色分解手段と、
第１の不可視画像及び／又は第２の不可視画像を取得する第１の情報入力手段と、
あらかじめ埋め込むべき情報に応じた周波数成分が抽出されるように設定された所定の間隔を有する同心形万線の情報を入力する第２の情報入力手段と、
前記第１の不可視画像に前記第１の画線及び前記第２の画線を設定し、及び／又は前記第２の不可視画像に前記第４の画線及び前記第５の画線を設定し、各画線が設定された前記第１の不可視画像及び／又は前記第２の不可視画像に前記第２の色インキを設定し、前記第１の不可視画像データ及び／又は前記第２の不可視画像データを生成する第１の情報埋め込み手段と、
前記第１の色インキの画像データに前記同心形万線の情報を設定し、同心形万線画像データを生成する第２の情報埋め込み手段と、
前記第１の不可視画像データ及び／又は前記第２の不可視画像データと、前記同心形万線データ及び前記可視画像を形成するための第２の色インキの画像データとを合成してドキュメント・ファイルを生成する画像合成手段と、
前記ドキュメント・ファイルをもとに、前記第１の色インキ及び前記第２の色インキで基材に刷り重なって出力する出力手段を備えることを特徴とする偽造防止用印刷物の作製装置。
【請求項１０】
請求項２乃至８のいずれか一項記載の偽造防止用印刷物の作製装置であって、
前記偽造防止用印刷物の前記可視画像及び前記同心形万線のモチーフとなる画像を入力する画像入力手段と、
前記画像入力手段で得られた前記モチーフとなる画像を前記同心形万線に形成するための前記第１の色インキの画像データと、前記第１の色インキより低明度の前記可視画像を形成するための第２の色インキの画像データに色分解する色分解手段と、
第１の不可視画像及び／又は第２の不可視画像を取得する第１の情報入力手段と、
あらかじめ埋め込むべき情報に応じた周波数成分が抽出されるように設定された所定の間隔を有する同心形万線の情報を入力する第２の情報入力手段と、
前記第１の不可視画像に前記第１の画線、前記第２の画線、前記第１の濃度を緩和する画線及び前記第２の濃度を緩和する画線を設定し、及び／又は前記第２の不可視画像に前記第４の画線、前記第５の画線、前記第３の濃度を緩和する画線及び前記第４の濃度を緩和する画線を設定し、各画線が設定された前記第１の不可視画像及び／又は前記第２の不可視画像に前記第２の色インキを設定し、第１の不可視画像データ及び／又は前記第２の不可視画像データを生成する第１の情報埋め込み手段と、
前記第１の色インキの画像データに前記同心形万線の情報を設定し、同心形万線画像データを生成する第２の情報埋め込み手段と、
前記第１の不可視画像データ及び／又は前記第２の不可視画像データと、前記同心形万線データ及び前記可視画像を形成するための第２の色インキの画像データとを合成してドキュメント・ファイルを生成する画像合成手段と、
前記ドキュメント・ファイルをもとに、前記第１の色インキ及び前記第２の色インキで基材に刷り重なって出力する出力手段を備えることを特徴とする偽造防止用印刷物の作製装置。
【請求項１１】
前記第１の色インキがイエロー（Ｙ）の色インキで形成され、
前記第２の色インキがシアン（Ｃ）、マゼンタ（Ｍ）及びブラック（Ｋ）の色インキの少なくとも一つで形成されることを特徴とする請求項９又は１０記載の偽造防止用印刷物の作製装置。
【請求項１２】
画像入力手段、色分解手段、第１の情報入力手段、第２の情報入力手段、第１の情報埋め込み手段、第２の情報埋め込み手段、画像合成手段及び出力手段を備えた偽造防止用印刷物の作製装置を用いて、請求項１乃至７のいずれか一項記載の偽造防止用印刷物の作製方法であって、
前記画像入力手段によって、前記偽造防止用印刷物の前記可視画像及び前記同心形万線のモチーフとなる画像を入力するステップと、
前記色分解手段によって、前記画像入力手段で得られた前記モチーフとなる画像を前記同心形万線に形成するための前記第１の色インキの画像データと、前記第１の色インキより低明度の前記可視画像を形成するための第２の色インキの画像データに色分解するステップと、
前記第１の情報入力によって、第１の不可視画像及び／又は第２の不可視画像を取得するステップと、
前記第２の情報入力手段によって、あらかじめ埋め込むべき情報に応じた周波数成分が抽出されるように設定された所定の間隔を有する同心形万線の情報を入力するステップと、
前記第１の情報埋め込み手段によって、前記第１の不可視画像に前記第１の画線及び前記第２の画線を設定し、及び／又は前記第２の不可視画像に前記第４の画線及び前記第５の画線を設定し、各画線が設定された前記第１の不可視画像及び／又は前記第２の不可視画像に前記第２の色インキを設定し、前記第１の不可視画像データ及び／又は前記第２の不可視画像データを生成するステップと、
前記第２の情報埋め込み手段によって、前記第１の色インキの画像データに前記同心形万線の情報を設定し、同心形万線画像データを生成するステップと、
前記画像合成手段によって、前記第１の不可視画像データ及び／又は前記第２の不可視画像データと、前記同心形万線データ及び前記可視画像を形成するための第２の色インキの画像データとを合成してドキュメント・ファイルを生成するステップと、
前記出力手段によって、前記ドキュメント・ファイルをもとに、前記第１の色インキ及び前記第２の色インキで基材に刷り重なって出力するステップを有することを特徴とする偽造防止用印刷物の作製方法。
【請求項１３】
画像入力手段、色分解手段、第１の情報入力手段、第２の情報入力手段、第１の情報埋め込み手段、第２の情報埋め込み手段、画像合成手段及び出力手段を備えた偽造防止用印刷物の作製装置を用いて、請求項１乃至７のいずれか一項記載の偽造防止用印刷物の作製方法であって、
前記画像入力手段によって、前記偽造防止用印刷物の前記可視画像及び前記同心形万線のモチーフとなる画像を入力するステップと、
前記色分解手段によって、前記画像入力手段で得られた前記モチーフとなる画像を前記同心形万線に形成するための前記第１の色インキの画像データと、前記第１の色インキより低明度の前記可視画像を形成するための第２の色インキの画像データに色分解するステップと、
前記第１の情報入力によって、第１の不可視画像及び／又は第２の不可視画像を取得するステップと、
前記第２の情報入力手段によって、あらかじめ埋め込むべき情報に応じた周波数成分が抽出されるように設定された所定の間隔を有する同心形万線の情報を入力するステップと、
前記第１の情報埋め込み手段によって、前記第１の不可視画像に前記第１の画線、前記第２の画線、前記第１の濃度を緩和する画線及び前記第２の濃度を緩和する画線を設定し、及び／又は前記第２の不可視画像に前記第４の画線、前記第５の画線、前記第３の濃度を緩和する画線及び前記第４の濃度を緩和する画線を設定し、各画線が設定された前記第１の不可視画像及び／又は前記第２の不可視画像に前記第２の色インキを設定し、第１の不可視画像データ及び／又は前記第２の不可視画像データを生成するステップと、
前記第２の情報埋め込み手段によって、前記第１の色インキの画像データに前記同心形万線の情報を設定し、同心形万線画像データを生成するステップと、
前記画像合成手段によって、前記第１の不可視画像データ及び／又は前記第２の不可視画像データと、前記同心形万線データ及び前記可視画像を形成するための第２の色インキの画像データとを合成してドキュメント・ファイルを生成するステップと、
前記出力手段によって、前記ドキュメント・ファイルをもとに、前記第１の色インキ及び前記第２の色インキで基材に刷り重なって出力するステップを有することを特徴とする偽造防止用印刷物の作製方法。
【請求項１４】
前記第１の色インキがイエロー（Ｙ）の色インキで形成され、
前記第２の色インキがシアン（Ｃ）、マゼンタ（Ｍ）及びブラック（Ｋ）の色インキの少なくとも一つで形成されることを特徴とする請求項１２又は１３記載の偽造防止用印刷物の作製方法。
【発明の詳細な説明】
【技術分野】
【０００１】
本発明は、銀行券、株券、債券等の有価証券、各種証明書及び重要書類等の偽造防止又は複製防止が必要とされる偽造防止用印刷物、偽造防止用印刷物の作製装置及び偽造防止用印刷物の作製方法に関するものである。
【背景技術】
【０００２】
一般的に証明書類の貴重印刷物では、偽造防止効果を与えるために様々な技術が適用されているが、近年、カラー複写機の高画質化及びカラー製版技術のコンピュータ化に伴い、証明書類の偽造技術が多様化する傾向にある。これに伴って、証明書類は偽造防止策を高度化することによって対応してきた。しかし、その一方で、偽造防止策に費やす製造コストが高く、偽造防止効果を確認する環境を得るために、特殊な機械器具から成る専用設備を導入する等、真偽判定において高コストとなる場合があった。
【０００３】
低コストで真偽判定を可能にする有用な方法に、印刷物上に判別具を重ねて真偽判定を行う技術がある。つまり、不可視画像が施されている印刷物に判別具を重ねることによって、不可視画像を可視画像として発現させるもので、この判別具の主な形態は、平行線スクリーンを印刷した透明シート（以下「万線フィルタ」という。）や、レンチキュラーレンズ等が挙げられる。この判別具を用いて不可視画像を発現させる技術は、主に二種類の方法があり、点位相変調（Dot phase modulation）と線位相変調（Line phase modulation）とが存在する。
【０００４】
このような万線フィルタから成る判別具を重ね合わせることにより潜像画像が発現する印刷物とその真偽判別方法としては、万線（又は網点）画線で印刷した背景画像部と、背景画像部と異なる位相の万線（又は網点）画線で印刷した潜像画像部とを有する印刷物が存在する。当該印刷物の背景画像部と潜像画像部は、区分けして視認することが一見困難であるが、万線フィルタを印刷物に所定の位置で重ね合わせた場合には、背景画像部と潜像画像部を区分けして視認することができる方法が知られている。
【０００５】
点位相変調（Dot phase modulation）の一例としては、第１の方向と第２の方向に位相変調されたパターンが形成された印刷物と、当該印刷物の第１の方向と万線状フィルタの万線状パターンの方向とを一致するように万線状フィルタを重ね合わせることにより形成される第１の多階調画像と、万線状フィルタの重ね合わせる角度を印刷物の第２の方向に一致するように変えると第２の多階調画像が形成された印刷物及び画像形成法がある（例えば、特許文献１参照）。
【０００６】
また、点位相変調（Dot phase modulation）の一例としては、基材上に、レンズアレイ（ハエの目レンズ、ハニカムレンズ、レンチキュラーレンズ等）を重ねることにより画像が現れるドットパターンを構成するそれぞれのドットが、少なくとも二種類以上のスクリーン線数で、かつ、少なくとも二種類以上のスクリーン角度の網点から成る印刷物において、真正物であればドットパターンを構成するそれぞれのドットの網点面積率が同じであるため、レンズアレイを重ねることにより不可視画像が発現し、複写物の場合は、コピーすることによりスクリーン線数の大きさ又は網点角度で再現されるドットが潰れ、ドットの濃度が変化することにより不可視画像と異なる画像が発現する印刷物がある（例えば、特許文献２参照）。
【０００７】
また、海外の点位相変調（Dot phase modulation）の一例としては、アストロン・デザイン社（オランダ）のイソグラム（Isogram）がある（例えば、非特許文献１３４０頁参照）。これは、一見して均一な濃度を有する平たんな模様の中に、拡大すると微細な網点の位相によって不可視画像が施され、印刷物上に専用のシートを重ねるとネガポジ状のどちらかに可視画像化された不可視画像が現れる。しかし、これは、均一な濃度を有する平たんな模様故に、鮮明に画像を発現させることができない。
【０００８】
また、本願出願人等は、点位相変調（Dot phase modulation）を用いた印刷物に関する特許出願を行っている。これは、基材上に複数の等色の画素が規則的に配列されて二つの潜像模様が形成された潜像印刷物であって、複数の画素において、第１の方向に位相をずらして配列された第１の領域による第１の潜像模様（不可視画像）と、機能性を有するインキにより印刷された第２の領域による第２の潜像模様（不可視画像）とを有するものである（例えば、特許文献３参照）。
【０００９】
線位相変調（Line phase modulation）の一例としては、基材上に、線部と非線部を有し、同一ピッチ及び幅から成る万線パターンに対し、万線位相を１／２ピッチずらして形成された潜像部を備えている複数種の潜像万線パターンが、それぞれ異なる角度で重ね合わせて印刷された潜像を有する印刷物であって、複数種の潜像万線パターンがそれぞれ色違いであることを特徴とする印刷物と、印刷物の万線パターンと同一ピッチのフィルムを複数種の不可視画像に重ね合わせることにより潜像部を可視画像化されたものがある（例えば、特許文献４参照）。
【００１０】
また、海外の線位相変調（Line phase modulation）を用いた印刷物には、ユラ社（ハンガリー）のＨＩＴ（Hidden Image Technology）がある（非特許文献１３４１頁参照）。一見して均一な濃度を有する平たんな模様の中に、微細な万線の位相によって不可視画像が施され、印刷物上に専用のシートを重ねると、ネガポジ状のどちらかに可視画像化された不可視画像が現れる。なお、この方法では通常視でも不可視画像が確認できてしまうおそれがあるため、カムフラージュ模様として万線の一部の画線幅を変化させて可視画像を設けている。また、白抜き画線によって可視画像を設けても良い。ただし、このカムフラージュ模様は、専用のシートを重ねて不可視画像を可視画像化した際、カモフラージュ模様も可視画像として同時に発現しているので、不可視画像の発現時の視認性を阻害するという問題がある。
【００１１】
また、一般的に、点位相変調（Dot phase modulation）又は線位相変調（Line phase modulation）により形成された模様は、平たんな形状となっている。
【００１２】
また、本願発明者らは、第１の方向に沿って、中心を境に対向するように配置された第１の画線及び第２の画線と、第１の方向と直交する第２の方向に沿って、中心を境に対向するように配置された第３の画線及び第４の画線とを有する画線要素が、一定のピッチで複数マトリクス状に配置されており、各々の画線要素における第１の画線と第２の画線、第３の画線と第４の画線は、ネガポジの関係にあり、第１の画線又は第２の画線により第１の不可視画像が形成され、第３の画線又は第４の画線により第２の不可視画像が形成されることを特徴とする偽造防止用印刷物を既に出願している（例えば、特許文献５参照）。
【００１３】
この特許文献５による偽造防止用印刷物は、通常の観察において可視画像を設けることが可能で豊かなデザイン性と、簡易な判別具における潜像の高い視認性を有し、低コストで製造できるという優れた効果があるものの、高解像度なハードコピーにおける偽造防止策としては不十分であった。
【００１４】
また、本願発明者らは、高解像度なハードコピーにおける偽造防止策として、印刷物に対し何らかの手段により不可視情報を埋め込み、何らかの手段によって不可視情報を読み取る方法を出願している。
【００１５】
今日では、読み取り用のセンサーに合わせて様々な方法及び手段がある。印刷物の機械読み取り検査方法としては、磁性インキ、赤外線反射吸収インキ、蛍光インキ等の機能性インキや、印刷媒体を形成する繊維、材質、薬品類等による素材を検知するといったものが主流である。しかし、これらの技術は、人間に感知できない特定の電磁波等に起因するものであり、印刷物を作製する上で材料適性に依存するものが多く、生産コスト面において経済性の見合う製品にしか付与することができない。
【００１６】
一方、印刷物の生産コストを特に考慮しない方法としては、可視できる一般印刷用のインキのような印刷材料が適用可能な印刷物上の模様に対する光学読み取り方法がある。比較的に容易な光学読み取り方法としては、ＯＣＲ、ＯＭＲ、バーコード、二次元コード等が公知であるが、これらの光学読み取り方法で用いられる図形は何ら意匠性を備えておらず、既存製品に用いる場合は、デザイン及び仕様の変更が要求される。
【００１７】
また、これらの光学読み取り方法は広く市中に出回っている方法でもあり、符号が印刷画線として可視できるため、解読及び改竄の危険性も予想され、偽造、変造防止策として用いるには不十分である。
【００１８】
さらに、同じく光学読み取り方法でデザイン等の意匠性を変えずに読み取り用情報を付与する方法として、一般に電子すかしと呼ばれる一連の技術がある。電子すかしは、コンシールドイメージ、デジタルすかしとも呼ばれ、主な用途として、高機能化したコピー技術やＤＴＰ技術におけるドキュメント・ファイル又はその印刷物に著作権情報を埋め込む技術である。印刷物における公知の代表的な技術としては、周波数利用型と呼ばれる方法がある。
【００１９】
電子すかしは複製物においてもその周波数特性の劣化が少ないと言われ、最近では著作権保護の目的でインターネット上に配信されるデジタルイメージに施されることが多い。また、印刷物においてもその効果を奏することから、ポスターなどに利用されることも多くなってきた。
【００２０】
電子すかしが最も効果を発揮できるのは、連続階調（写真階調）模様である。連続階調（写真階調）模様は多値画像データであるから、十分な冗長度が存在するので周波数利用型に限らず画素置換型、画素空間利用型、量子化誤差拡散型等の多くの方法が提案され、文献及び特許出願も数多く、今日注目を集めている技術の一つである。
【００２１】
しかしながら、電子すかしの多くは一般商業印刷の画像分解能を対象に設計されているため、複製物においては元の情報がそのままコピーされるという特徴があり、複製物の著作権を示すため施策としては適しているが、オリジナルとコピーを区別することはできず、物品を真贋判定する技術としては不十分である。
【００２２】
そこで、本発明者らは、「真偽判別可能な印刷物及び判別方法、並びに該印刷物への情報の埋め込み方法」（特許文献６）、「真偽判別可能な印刷物及び判別方法、並びに該印刷物への情報の埋め込み方法」（特許文献７）及び「印刷物並びに該印刷物の認証方法」（特許文献８）により、地紋、彩紋模様のような自由な曲線群から成る印刷画線を、機械的に識別することを特徴とする印刷物を既に出願している。しかし、これらの発明は線表現による彩紋模様などに適用される技術であるため、連続階調（写真階調）模様に適用することはできない。
【先行技術文献】
【特許文献】
【００２３】
【特許文献１】特許第４１３２１２２号公報
【特許文献２】特許第４０１３４５０号公報
【特許文献３】特開２００８−２０７３３５号公報
【特許文献４】特許第４４１５５４２号公報
【特許文献５】特許第４６３５１６０号公報
【特許文献６】特開２００３−２００６４７号公報
【特許文献７】特許第４５４２９２４号公報
【特許文献８】ＷＯ２００６／１０６６７７号公報
【非特許文献】
【００２４】
【非特許文献１】Optical Security and Counterfeit Deterrence Techniques IV Vol.4677 (by SPIE-The International Society for Optical Engineering )
【発明の開示】
【発明が解決しようとする課題】
【００２５】
偽造防止を必要とされる印刷物は、複写、複製、改ざん等などのあらゆる場面での偽造に抵抗し得る機能性が求められるが、限られた印刷面積において様々な真偽判別手段にて真偽判別を可能にする偽造防止用印刷画線はなく、用途・目的に応じた偽造防止用印刷画線の印刷領域を、限られた印刷面積の中で用途・目的別に複数備える必要があった。また、用途・目的に応じた偽造防止用印刷画線の印刷領域を複数備えることにより高コストとなる場合があった。これにより、限られた印刷面積の中で複数の偽造防止策が共有でき、ユーザーの仕様環境や立場に応じた真偽判別手段が選択できる偽造防止用印刷物が望まれていた。
【課題を解決するための手段】
【００２６】
本発明の偽造防止用印刷物は、基材上に、少なくとも第１の色インキにより形成された第１の画像と、第１の色インキより低明度の第２のインキにより、第１の画像と少なくとも一部が重複するように形成された第２の画像を備え、第１の画像は、埋め込むべき情報に応じた周波数成分が抽出されるように設定された所定の間隔を有する同心形万線で形成され、第２の画像は、Ｉ）乃至ＩＩＩ）のいずれか一つによって形成され、Ｉ）は、第１の画線、第２の画線及び第３の画線を有し、第１の方向に沿って、一定のピッチで中心を境に対向するように配置された第１の画線及び第２の画線と、第１の画線及び第２の画線が存在しない領域に配置された第３の画線がユニット内に形成され、ユニットは一定のピッチで第１の方向及び第１の方向と直交する第２の方向にマトリクス状に配置されており、ユニットのピッチの１／２又は略１／２のピッチで第１の画像及び第２の画像が形成され、各々のユニットにおける第１の画線と第２の画線は、いずれか一方がオンの場合、他方がオフの関係にあり、かつ、面積が同一又は略同一であり、第１の画線により第１の不可視画像のポジ画像又はネガ画像のいずれか一方が形成され、第２の画線により第１の不可視画像のネガ画像又はポジ画像の他方が形成され、第３の画線により可視画像が形成され、ＩＩ）は、第３の画線、第４の画線及び第５の画線を有し、第２の方向に沿って、一定のピッチで中心を境に対向するように配置された第４の画線及び第５の画線と、第４の画線及び第５の画線が存在しない領域に配置された第３の画線がユニット内に形成され、ユニットは一定のピッチで第１の方向及び第１の方向と直交する第２の方向にマトリクス状に配置されており、ユニットのピッチの１／２又は略１／２のピッチで第４の画像及び第５の画像が形成され、各々のユニットにおける第４の画線と第５の画線は、いずれか一方がオンの場合、他方がオフの関係にあり、かつ、面積が同一又は略同一であり、第４の画線により第２の不可視画像のポジ画像又はネガ画像のいずれか一方が形成され、第５の画線により第２の不可視画像のネガ画像又はポジ画像の他方が形成され、第３の画線により可視画像が形成され、又は、ＩＩＩ）は、第１の画線、第２の画線、第３の画線、第４の画線及び第５の画線を有し、第１の方向に沿って、一定のピッチで中心を境に対向するように配置された第１の画線及び第２の画線と、第１の方向と直交する第２の方向に沿って、一定のピッチで中心を境に対向するように配置された第４の画線及び第５の画線と、第１の画線、第２の画線、第４の画線及び第５の画線が存在しない領域に配置された第３の画線がユニット内に形成され、ユニットは一定のピッチで第１の方向及び第１の方向と直交する第２の方向にマトリクス状に配置されており、ユニットのピッチの１／２又は略１／２のピッチで第１の画像及び第２の画像が形成され、ユニットのピッチの１／２又は略１／２のピッチで第４の画像及び第５の画像が形成され、各々のユニットにおける第１の画線と第２の画線は、いずれか一方がオンの場合、他方がオフの関係にあり、かつ、面積が同一又は略同一であり、第４の画線と第５の画線は、いずれか一方がオンの場合、他方がオフの関係にあり、かつ、面積が同一又は略同一であり、第１の画線により第１の不可視画像のポジ画像又はネガ画像のいずれか一方が形成され、第２の画線により第１の不可視画像のネガ画像又はポジ画像の他方が形成され、第４の画線により第２の不可視画像のポジ画像又はネガ画像のいずれか一方が形成され、第５の画線により第２の不可視画像のネガ画像又はポジ画像の他方が形成され、第３の画線により可視画像が形成されたことを特徴とする。
【００２７】
本発明の偽造防止用印刷物は、Ｉ）の場合において、第１の方向に沿って隣接して配置された二つのユニットが、一方のユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第１の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第２の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第１の画線がオン、又は中央のユニットに対して一方に隣接されたユニット内の第２の画線がオン、他方のユニット内の第２の画線がオンとなり、第１の画線の画線間又は第２の画線の画線間がユニットの略２個分の非画線部が生じた場合において、第１の画線又は第２の画線の画線間の中心に第１の画線又は第２の画線における半分又は略半分の画線面積率、かつ、同色である第１の不可視画像の濃度の不均衡を緩和するための第１の濃度を緩和する画線及び第２の濃度を緩和する画線が配置され、ＩＩ）の場合において、第２の方向に沿って隣接して配置された二つのユニットが、一方のユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第３の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第４の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第４の画線がオン、又は中央のユニットに対して一方に隣接されたユニット内の第５の画線がオン、他方のユニット内の第５の画線がオンとなり、第４の画線の画線間又は第５の画線の画線間がユニットの略２個分の非画線部が生じた場合において、第４の画線又は第５の画線の画線間の中心に第４の画線又は第５の画線における半分又は略半分の画線面積率、かつ、同色である第２の不可視画像の濃度の不均衡を緩和するための第３の濃度を緩和する画線及び第４の濃度を緩和する画線が配置され、ＩＩＩ）の場合において、第１の方向に沿って隣接して配置された二つのユニットが、一方のユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第１の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第２の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第１の画線がオン、又は中央のユニットに対して一方に隣接されたユニット内の第２の画線がオン、他方のユニット内の第２の画線がオンとなり、第１の画線の画線間又は第２の画線の画線間がユニットの略２個分の非画線部が生じた場合において、第１の画線又は第２の画線の画線間の中心に第１の画線又は第２の画線における半分又は略半分の画線面積率、かつ、同色である第１の不可視画像の濃度の不均衡を緩和するための第１の濃度を緩和する画線及び第２の濃度を緩和する画線が配置され、第２の方向に沿って隣接して配置された二つのユニットが、一方のユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第３の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第４の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第４の画線がオン、又は中央のユニットに対して一方に隣接されたユニット内の第５の画線がオン、他方のユニット内の第５の画線がオンとなり、第４の画線の画線間又は第５の画線の画線間がユニットの略２個分の非画線部が生じた場合において、第４の画線又は第５の画線の画線間の中心に第４の画線又は第５の画線における半分又は略半分の画線面積率、かつ、同色である第２の不可視画像の濃度の不均衡を緩和するための第３の濃度を緩和する画線及び第４の濃度を緩和する画線が配置されて成ることを特徴とする。
【００２８】
本発明の偽造防止用印刷物は、第１の色インキがイエロー（Ｙ）の色インキで形成され、第２の色インキがシアン（Ｃ）、マゼンタ（Ｍ）及びブラック（Ｋ）の色インキの少なくとも一つで形成されることを特徴とする。
【００２９】
本発明の偽造防止用印刷物は、Ｉ）の場合において、第１の画線、第２の画線、第１の濃度を緩和する画線及び第２の濃度を緩和する画線は、ブラック（Ｋ）の色インキで形成され、第３の画線は、シアン（Ｃ）及び／又はマゼンタ（Ｍ）の色インキで形成され、同心形万線は、イエロー（Ｙ）の色インキで形成され、ＩＩ）の場合において、第４の画線、第５の画線、第３の濃度を緩和する画線及び第４の濃度を緩和する画線は、ブラック（Ｋ）の色インキで形成され、第３の画線は、シアン（Ｃ）及び／又はマゼンタ（Ｍ）の色インキで形成され、同心形万線は、イエロー（Ｙ）の色インキで形成され、ＩＩＩ）の場合において、第１の画線、第２の画線、第４の画線、第５の画線、第１の濃度を緩和する画線、第２の濃度を緩和する画線、第３の濃度を緩和する画線及び第４の濃度を緩和する画線は、ブラック（Ｋ）の色インキで形成され、第３の画線は、シアン（Ｃ）及び／又はマゼンタ（Ｍ）の色インキで形成され、同心形万線は、イエロー（Ｙ）の色インキで形成されることを特徴とする。
【００３０】
本発明の偽造防止用印刷物における第３の画線は、画線の大小、画線の濃淡又は画線の粗密から選択される一つの方法によって連続階調から成る可視画像が形成され、同心形万線は、同心形万線の画線幅を連続的に違えることによって連続階調から成る可視画像が形成されていることを特徴とする。
【００３１】
本発明の偽造防止用印刷物は、ユニットにおける一辺の長さが１ｍｍ以下であることを特徴とする。
【００３２】
本発明の偽造防止用印刷物における同心形万線が配置される領域は、下記に示すＩＶ）乃至ＶＩ）のいずれか一つによって形成され、ＩＶ）は、同心形万線が配置される領域が複数分割され、複数に分割された各領域は、同一の中心点を共有する同心形万線が形成され、複数分割された各領域の同心形万線の画線の間隔は、領域ごとに異なる、Ｖ）は、同心形万線が配置される領域が複数分割され、複数に分割された各領域は、領域ごとに異なる中心点を有して同心形万線が形成され、複数分割された各領域の同心形万線の画線の間隔は、領域ごとに異なる、又はＶＩ）は、同心形万線が配置される領域がリング状に複数分割され、複数に分割された各領域は、同一の中心点を共有する同心形万線が形成され、複数に分割された各領域の境界において、隣り合う一方の領域に備わる同心形万線の間隔と、他方の領域に備わる同心形万線の間隔との平均値からなる補間領域が設けられ、境界において同心形万線の連続性が保たれていることを特徴とする。
【００３３】
本発明の偽造防止用印刷物は、同心形万線の画線の間隔が、ユニットの寸法よりも小さく、かつ５０μｍ〜３５０μｍであることを特徴とする。
【００３４】
本発明の偽造防止用印刷物の作製装置は、偽造防止用印刷物の可視画像及び同心形万線のモチーフとなる画像を入力する画像入力手段と、画像入力手段で得られたモチーフとなる画像を同心形万線に形成するための第１の色インキの画像データと、第１の色インキより低明度の可視画像を形成するための第２のインキの画像データに色分解する色分解手段と、第１の不可視画像及び／又は第２の不可視画像を取得する第１の情報入力手段と、あらかじめ埋め込むべき情報に応じた周波数成分が抽出されるように設定された所定の間隔を有する同心形万線の情報を入力する第２の情報入力手段と、第１の不可視画像に第１の画線及び第２の画線を設定し、及び／又は第２の不可視画像に第４の画線及び第５の画線を設定し、各画線が設定された第１の不可視画像及び／又は第２の不可視画像に第２の色インキを設定し、第１の不可視画像データ及び／又は第２の不可視画像データを生成する第１の情報埋め込み手段と、第１の色インキの画像データに同心形万線の情報を設定し、同心形万線画像データを生成する第２の情報埋め込み手段と、第１の不可視画像データ及び／又は第２の不可視画像データと、同心形万線データ及び可視画像を形成するための第２のインキの画像データとを合成してドキュメント・ファイルを生成する画像合成手段と、ドキュメント・ファイルをもとに、第１の色インキ及び第２の色インキで基材に刷り重なって出力する出力手段を備えることを特徴とする。
【００３５】
本発明の偽造防止用印刷物の作製装置は、偽造防止用印刷物の可視画像及び同心形万線のモチーフとなる画像を入力する画像入力手段と、画像入力手段で得られたモチーフとなる画像を同心形万線に形成するための第１の色インキの画像データと、第１の色インキより低明度の可視画像を形成するための第２のインキの画像データに色分解する色分解手段と、第１の不可視画像及び／又は第２の不可視画像を取得する第１の情報入力手段と、あらかじめ埋め込むべき情報に応じた周波数成分が抽出されるように設定された所定の間隔を有する同心形万線の情報を入力する第２の情報入力手段と、第１の不可視画像に第１の画線、第２の画線、第１の濃度を緩和する画線及び第２の濃度を緩和する画線を設定し、及び／又は第２の不可視画像に第４の画線、第５の画線、第３の濃度を緩和する画線及び第４の濃度を緩和する画線を設定し、各画線が設定された第１の不可視画像及び／又は第２の不可視画像に第２の色インキを設定し、第１の不可視画像データ及び／又は第２の不可視画像データを生成する第１の情報埋め込み手段と、第１の色インキの画像データに同心形万線の情報を設定し、同心形万線画像データを生成する第２の情報埋め込み手段と、第１の不可視画像データ及び／又は第２の不可視画像データと、同心形万線データ及び可視画像を形成するための第２のインキの画像データとを合成してドキュメント・ファイルを生成する画像合成手段と、ドキュメント・ファイルをもとに、第１の色インキ及び第２の色インキで基材に刷り重なって出力する出力手段を備えることを特徴とする。
【００３６】
本発明の偽造防止用印刷物の作製装置は、第１の色インキがイエロー（Ｙ）の色インキで形成され、第２の色インキがシアン（Ｃ）、マゼンタ（Ｍ）及びブラック（Ｋ）の色インキの少なくとも一つで形成されることを特徴とする。
【００３７】
本発明の偽造防止用印刷物の作製方法は、画像入力手段によって、偽造防止用印刷物の可視画像及び同心形万線のモチーフとなる画像を入力するステップと、色分解手段によって、画像入力手段で得られたモチーフとなる画像を同心形万線に形成するための第１の色インキの画像データと、第１の色インキより低明度の可視画像を形成するための第２のインキの画像データに色分解するステップと、第１の情報入力によって、第１の不可視画像及び／又は第２の不可視画像を取得するステップと、第２の情報入力手段によって、あらかじめ埋め込むべき情報に応じた周波数成分が抽出されるように設定された所定の間隔を有する同心形万線の情報を入力するステップと、第１の情報埋め込み手段によって、第１の不可視画像に第１の画線及び第２の画線を設定し、及び／又は第２の不可視画像に第４の画線及び第５の画線を設定し、各画線が設定された第１の不可視画像及び／又は第２の不可視画像に第２の色インキを設定し、第２の不可視画像データ及び／又は第２の不可視画像データを生成するステップと、第２の情報埋め込み手段によって、第１の色インキの画像データに同心形万線の情報を設定し、同心形万線画像データを生成するステップと、画像合成手段によって、第１の不可視画像データ及び／又は第２の不可視画像データと、同心形万線データ及び可視画像を形成するための第２のインキの画像データとを合成してドキュメント・ファイルを生成するステップと、出力手段によって、ドキュメント・ファイルをもとに、第１の色インキ及び第２の色インキで基材に刷り重なって出力するステップを有することを特徴とする。
【００３８】
本発明の偽造防止用印刷物の作製方法は、画像入力手段によって、偽造防止用印刷物の可視画像及び同心形万線のモチーフとなる画像を入力するステップと、色分解手段によって、画像入力手段で得られたモチーフとなる画像を同心形万線に形成するための第１の色インキの画像データと、第１の色インキより低明度の可視画像を形成するための第２のインキの画像データに色分解するステップと、第１の情報入力によって、第１の不可視画像及び／又は第２の不可視画像を取得するステップと、第２の情報入力手段によって、あらかじめ埋め込むべき情報に応じた周波数成分が抽出されるように設定された所定の間隔を有する同心形万線の情報を入力するステップと、第１の情報埋め込み手段によって、第１の不可視画像に第１の画線、第２の画線、第１の濃度を緩和する画線及び第２の濃度を緩和する画線を設定し、及び／又は第２の不可視画像に第４の画線、第５の画線、第３の濃度を緩和する画線及び第４の濃度を緩和する画線を設定し、各画線が設定された第１の不可視画像及び／又は第２の不可視画像に第２の色インキを設定し、第１の不可視画像データ及び／又は第２の不可視画像データを生成するステップと、第２の情報埋め込み手段によって、第１の色インキの画像データに同心形万線の情報を設定し、同心形万線画像データを生成するステップと、画像合成手段によって、第１の不可視画像データ及び／又は第２の不可視画像データと、同心形万線データ及び可視画像を形成するための第２のインキの画像データとを合成してドキュメント・ファイルを生成するステップと、出力手段によって、ドキュメント・ファイルをもとに、第１の色インキ及び第２の色インキで基材に刷り重なって出力するステップを有することを特徴とする。
【００３９】
本発明の偽造防止用印刷物の作製方法は、第１の色インキがイエロー（Ｙ）の色インキで形成され、第２の色インキがシアン（Ｃ）、マゼンタ（Ｍ）及びブラック（Ｋ）の色インキの少なくとも一つで形成されることを特徴とする。
【発明の効果】
【００４０】
本発明の偽造防止用印刷物は、第１の真偽判別方法と第２の真偽判別方法の二種類を備えたものであり、第１の真偽判別方法として偽造防止用印刷物に判別具を重ね合わせることで現出した不可視画像を視認でき、第２の真偽判別方法として、判別装置にて抽出された不可視情報を見ることにより、複数の判別方法により容易に真偽性を判別することができる。また、限られた印刷面積の中で複数の偽造防止策が共有でき、ユーザーの仕様環境や立場に応じた真偽判別手段が選択できる。また、本発明の偽造防止用印刷物における印刷模様に備える意匠性を有する可視画像は、単色の模様のほか、連続階調画像、フルカラー画像及びレインボー効果等、様々な美麗の表現が可能であり、不可視画像の発現時において視認性を阻害することはなく、印刷物に判別具を重ね合わせることによって、不可視画像が容易に、かつ、鮮明に可視画像へとスイッチして発現するという効果を奏する。
【００４１】
さらに、本発明の偽造防止用印刷物は、画線の形状及び配置によって偽造防止効果をもたらすことが可能であることから、コストパフォーマンスに優れ、製版及び印刷方法も何ら限定されないため、印刷方式にも自由度があるという効果を奏する。
【図面の簡単な説明】
【００４２】
【図１】印刷物１に判別具２を重ね合わせることで現出した不可視画像を視認でき、第２の真偽判別方法として、判別装置Ｒにて抽出された不可視情報が確認できる説明図。
【図２】印刷物１の印刷模様３を通常の可視条件において目視により観察した詳細な説明図。
【図３】印刷物１上に判別具２を所定の角度（これを０度とする）をもって重ね合わせると、第１の不可視画像４が可視画像となって発現され、印刷物１上に判別具２を所定の角度に対して９０度を成す角度を持って重ね合わせると、第２の不可視画像５が可視画像となって発現された状態が示された図。
【図４】印刷模様３が光学式スキャナにて解像度１２００ｄｐｉで画像入力され、１０２４×１０２４ピクセルから成る２４ビットのＲＧＢ画像が生成された状態と、そのＲＧＢ画像のうちのＢチャンネルをフーリエ変換して得られたＦＦＴパターンが示された図。
【図５】印刷物上の所定の位置に、判別具２であるレンチキュラーレンズにおける各レンズの中心線７が画線Ａの中心に一致するように載置された状態が示された図。
【図６】印刷物上の所定の位置に、判別具２であるレンチキュラーレンズにおける各レンズの中心線７が画線Ｂの中心に一致するように載置された状態が示された図。
【図７】印刷模様３に二種類の画線領域をもって構成された状態が示されたもので、本発明の画線構成をより詳細に説明するために印刷模様３の一部を部分的に拡大し、かつ、説明し易いように画線Ｅを黒ベタで表現した模式図。
【図８】印刷模様３が光学式スキャナにて解像度１２００ｄｐｉで画像入力され、１０２４×１０２４ピクセルから成る２４ビットのＲＧＢ画像が生成された状態と、そのＲＧＢ画像のうちのＢチャンネルをフーリエ変換して得られたＦＦＴパターンが示された図。
【図９】印刷模様３に三種類の画線領域をもって構成された状態が示されたもので、本発明の画線構成をより詳細に説明するために印刷模様３の一部を部分的に拡大し、かつ説明し易いように画線Ｅを黒ベタで表現した模式図。
【図１０】印刷模様３が光学式スキャナにて解像度１２００ｄｐｉで画像入力され、１０２４×１０２４ピクセルから成る２４ビットのＲＧＢ画像が生成された状態と、そのＲＧＢ画像のうちのＢチャンネルをフーリエ変換して得られたＦＦＴパターンが示された図。
【図１１】印刷模様３が三種類の領域から成り、領域ａ１、領域ａ２、領域ａ３それぞれの同心円万線の中心点Ｐが等しく、かつ、領域ａ１、領域ａ２、領域ａ３のそれぞれが、同心円万線の中心点Ｐから均等に三等分されて配置されている模式図。
【図１２】印刷模様３が三種類の領域から成り、領域ａ１、領域ａ２、領域ａ３それぞれの同心円万線の中心点Ｐが異なり、かつ領域ａ１、領域ａ２、領域ａ３のそれぞれが、同じ領域面積を持って配置されている模式図。
【図１３】印刷模様３が三種類の領域から成り、領域ａ１、領域ａ２、領域ａ３それぞれの同心円万線の中心点Ｐが等しく、かつ、中心点Ｐから領域ａ１、領域ａ２、領域ａ３の順にリング状に配置されている模式図。
【図１４】本発明の連続階調画像に対してあらかじめ定められた埋め込むべき情報を付与する作製装置のブロック図。
【図１５】本発明の連続階調画像に対してあらかじめ定められた埋め込むべき情報を付与する作製方法のフローチャート。
【図１６】埋め込むべき情報ごとに、あらかじめ設定された複数組の間隔の中から選択されるためのデータテーブルが示された図。
【図１７】本発明の印刷物の認証方法が示されたフローチャート。
【図１８】ユニットの一例を簡易的に示した模式図。
【図１９】肉眼視では濃度が不均衡になるのを緩和するための、画線の削除並びに追加を実行するアルゴリズムを示したフローチャート。
【図２０】図１９のアルゴリズムに従って、ユニット［ｈ，ｖ］の画線Ａ’［ｈ，ｖ］が削除された状態が示された図。
【図２１】図１９のアルゴリズムに従って、画線Ａ又は画線Ａ’の半分又は略半分の画線面積を有する画線ａと、画線Ｃが追加された状態が示された図。
【図２２】ユニットの一例を簡易的に示した模式図。
【発明を実施するための形態】
【００４３】
以下、本発明の実施の形態１〜４による偽造防止用印刷物について、図面を用いて説明する。しかし、本発明は、以下に述べる実施の形態１〜４に限定されるものではなく、特許請求の範囲に記載された技術的思想の範囲内であれば、その他のいろいろな実施の形態が含まれる。
【００４４】
本発明の偽造防止用印刷物は、第１の真偽判別方法と第２の真偽判別方法の二種類を備えたものであり、第１の真偽判別方法として図１（ａ）に示されたように、印刷物１に判別具２を重ね合わせることで現出した不可視画像を視認でき、第２の真偽判別方法として図１（ｂ）に示されたように、判別装置Ｒにて抽出された不可視情報を見ることにより、容易に真偽性を判別することができるものである。
【００４５】
また、本発明の偽造防止用印刷物は、明度の異なる少なくとも二色以上の色インキが用いられるものである。好ましくは、本発明の偽造防止用印刷物は、第１の色インキがイエロー（Ｙ）の色インキで形成され、第２の色インキがシアン（Ｃ）、マゼンタ（Ｍ）及びブラック（Ｋ）の色インキの少なくとも一つで形成されることを特徴とする。なお、第１の真偽判別方法としては、低明度の色インキが用いられ、第２の真偽判別方法としては、高明度の色インキが用いられるのが特徴である。ここでいう低明度とは、L*a*b*色表系のＬ値が７０以上が好ましく、高明度とは、L*a*b*色表系のＬ値が５０以下が好ましい。ただし、あくまでも目安であり、低明度の色インキと高明度の画線の色インキはL*a*b*色表系のＬ値が少なくとも２０以上離れていれば十分な効果が望まれる。
【００４６】
第１の真偽判別方法の判別具２は、透明性を有するフィルタに複数の直線が万線状に一方向に沿って形成された万線フィルタ又はレンチキュラーレンズ等である。なお、ここで、可視画像とは、通常の可視光のもとで目視により視認され得る画像であり、不可視画像とは、通常の可視光のもとで目視により視認され得ない、あるいは極めて視認され難い画像であり、万線フィルタ又はレンチキュラーレンズ等を重ねることで視認されるものである。一方、第２の真偽判別方法の判別装置Ｒは、主に光学式スキャナ等から成る読み取り手段Ｒ１、入力手段Ｒ２、演算手段Ｒ３及び表示手段Ｒ４を搭載したものである。これにより、印刷模様３に備わる空間周波数から算出された数値的な不可視情報を得るものである。
【００４７】
図２は印刷物１の画線をさらに詳しく説明するものである。図１（ａ）に示されたように、印刷物１の印刷模様３を通常の可視条件において目視により観察すると、図２に示されたように、任意の図形、文字及び写真階調画像等から成る印刷模様３の可視画像が視認される。図２に示された印刷物１の印刷模様３は、図２の円内の部分拡大図のように、シアン（Ｃ）、マゼンタ（Ｍ）、ブラック（Ｋ）が所定の配置を有する複数の領域に備わり、画線Ｄは、シアン（Ｃ）と、マゼンタ（Ｍ）とで構成され、画線Ａと、画線Ａ’と、画線Ｂと、画線Ｂ’は、ブラック（Ｋ）で構成されている。図２の例では、シアン（Ｃ）、マゼンタ（Ｍ）、イエロー（Ｙ）、ブラック（Ｋ）の四色で印刷模様３を構成しているが、このうち、第１の真偽判別方法に用いるべき最も低明度の色インキはブラック（Ｋ）であり、第２の真偽判別方法に用いるべき最も高明度の色インキは、この場合は、イエロー（Ｙ）である。
【００４８】
図２の円内の部分拡大図に示された、縦の寸法Ｓｖ及び横の寸法Ｓｈは、例えば、３４０μｍというように１ｍｍ以下の大きさである。縦の寸法Ｓｖと横の寸法Ｓｈとで囲われた領域はユニットと称する最小単位であり、画線Ａと、画線Ａ’と、画線Ｂと、画線Ｂ’とにより、明度の低い色インキである、例えば、ブラック（Ｋ）によって不可視画像が構成されている。画線Ａと、画線Ａ’は、第１の方向に沿って、中心を境に対向するように配置され、画線Ｂと、画線Ｂ’は、第１の方向に対して直交する第２の方向に沿って、中心を境に対向するように配置される。図２の円内の部分拡大図に示す画線が、印刷物の表面上において一定のピッチで第１の方向及び第１の方向と直交する第２の方向にマトリクス状に規則的に配置される。画線Ａと、画線Ａ’とは、対を成しており、相互にオンオフの関係にある。一方、画線Ｂと、画線Ｂ’とは、対を成しており、相互にオンオフの関係にある。そして、画線Ａと、画線Ａ’とは、面積が同一であり、かつ、画線Ｂと、画線Ｂ’とは、面積が同一である。このような画線Ａと、画線Ａ’、画線Ｂと、画線Ｂ’とが存在することで通常の可視条件下では視認されず、画線Ａのみにより第１の不可視画像（ネガ又はポジ）、画線Ａ’のみにより第１の不可視画像（ポジ又はネガ）がそれぞれ形成され、さらに、画線Ｂのみにより第２の不可視画像（ネガ又はポジ）、画線Ｂ’のみにより不可視画像（ポジ又はネガ）がそれぞれ形成されている。
【００４９】
また、図２の円内の部分拡大図に示された画線Ｄにより可視画像（デザイン：模様）を形成し、任意の図形及び文字から成る印刷模様３の可視画像を構成する画線となり、画線Ｄが画線Ａと、画線Ａ’と、画線Ｂと、画線Ｂ’とに挟まれるように配置されている。さらに、画線Ｄはシアン（Ｃ）とマゼンタ（Ｍ）の色インキによって構成され、一方、画線Ｅはイエロー（Ｙ）の色インキによって構成され、画線Ａ、画線Ａ’、画線Ｂ、画線Ｂ’及び画線Ｄの位置関係とは異なる配置となっている。図２の円内に示されたように、画線Ｅの画線構成は、８０μｍの間隔ｄから成る同心円万線で構成されている。なお、間隔ｄは、縦の寸法Ｓｖ及び横の寸法Ｓｈ、すなわちユニットの寸法よりも小さいことが望ましい。画線Ｅの画線構成は、同心円万線で説明しているが本発明はこれに限定されることなく同心角等の同心形万線であればよい。
【００５０】
図２に示された印刷物１の印刷模様３は、縦の寸法Ｓｖと横の寸法Ｓｈとで囲われたユニットがマトリクス状に縦横隙間なく、連続的に、かつ、規則的に配置されたものである。ユニットが印刷模様３上で繰り返されるステップ数に何ら制限はなく、このステップ数によって可視画像及び不可視画像の解像度と比例している。しかし、この状態では肉眼視で、マトリクス状に配置されたユニットの近傍部にて、例えば画線Ａと、画線Ａ’との双方がオン（有着色）になることで濃度が高く（濃く）見えたり、また、複数の画線Ａと、複数の画線ａ’とがマトリクス状に配置されたユニットの近傍部にて画線Ａと、画線ａ’との双方がオフ（無着色）になることで濃度が低く（淡く）見えたりして、肉眼視では濃度が不均衡となって見えることもある。
【００５１】
この濃度が不均衡に見えるのを緩和するため、図１８に示された画線ａ（第１の濃度を緩和する画線）、画線ｂ（第３の濃度を緩和する画線）及び画線Ｃ（第２の濃度を緩和する画線及び第４の濃度を緩和する画線）を、それぞれ画線Ｄの領域中に配置することが好ましい。例えば、画線ａは、画線Ａ又は画線Ａ’の半分の画線面積であり、ユニット縦方向上に配列し、画線Ａ’と、画線Ａとに挟まれるように配置されている。一方、画線Ｃは、画線Ａ又は画線Ａ’の半分の画線面積であり、ユニット縦方向上に配列し、画線Ａと、画線Ａ’とに挟まれるように配置されている。また、画線ｂは、画線Ｂ又は画線Ｂ’の半分の画線面積であり、ユニット横方向上に配列し、画線Ｂ’と、画線Ｂとに挟まれるように配置されている。一方、画線Ｃは、画線Ｂ又は画線Ｂ’の半分の画線面積であり、ユニット横方向上に配列し、画線Ｂと、画線Ｂ’とに挟まれるように配置されている。
【００５２】
図１９に示されたアルゴリズムによって最小単位であるユニット［ｈ，ｖ］ごとに、画線の削除並びに追加を実行するものである。原理を簡単に説明するため、縦方向の処理についてのみ説明する。なお、［ｖ］はユニットを縦上から数えたステップ数で、［ｈ］はユニットを横に数えたステップ数である。まず、処理ｆ１にて、マトリクス状に配置した列ごとのユニット［ｈ，ｖ］において順次画線Ａ［ｈ，ｖ］と、画線Ａ’［ｈ，ｖ］の検知が行われる。なお、画線Ａ［ｈ，ｖ］と、画線Ａ’［ｈ，ｖ］を検知する方法は、例えば、印刷模様３がビットマップ形式の二値画像の場合、処理すべきユニット内において、一般的にラベリングと呼ばれる処理によって、画線Ａ［ｈ，ｖ］及び／又は画線Ａ’［ｈ，ｖ］を識別しても良い。
【００５３】
次に、処理ｆ２にて、ユニット［ｈ，ｖ］に画線Ａ’［ｈ，ｖ］を有し、かつ、ユニット［ｈ，ｖ＋１］に画線Ａ［ｈ，ｖ＋１］を有する条件に一致したとき、処理ｆ３にて、ユニット［ｈ，ｖ］における本来配置される位置である画線Ａ’［ｈ，ｖ］の削除が行われる。すなわち、図２０（ａ）に示されるように、ユニット［ｈ，ｖ］、ユニット［ｈ，ｖ＋１］、ユニット［ｈ，ｖ＋２］の配置の際、ユニット［ｈ，ｖ］の画線Ａ’［ｈ，ｖ］とユニット［ｈ，ｖ＋１］の画線Ａ［ｈ，ｖ＋１］が隣接している場合、図２０（ｂ）に示されるように、ユニット［ｈ，ｖ］の画線Ａ’［ｈ，ｖ］が削除される。また、処理ｆ２の条件に一致しない場合は処理ｆ４に移行する。
【００５４】
次に、処理ｆ４にて、ユニット［ｈ，ｖ］に画線Ａ［ｈ，ｖ］を有し、かつ、ユニット［ｈ，ｖ＋１］に画線Ａ’［ｈ，ｖ＋１］を有する条件に一致したとき、処理ｆ５にて、ユニット［ｈ，ｖ］における画線ａ［ｈ，ｖ］の追加を行う。すなわち、図２１（ｂ）に示されるように、ユニット［ｈ，ｖ］とユニット［ｈ，ｖ＋１］の中間に、画線Ａ又は画線Ａ’の半分の画線面積を有する画線ａが追加される。これにより、ユニット［ｈ，ｖ］とユニット［ｈ，ｖ＋１］間における肉眼視での濃度の不均衡が緩和される。なお、本発明でいう半分の画線面積とは、略半分の画線面積を含むものである。
【００５５】
次に、処理ｆ６にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ［ｈ，ｖ＋２］を有する条件に一致したとき、処理ｆ７にて、ユニット［ｈ，ｖ＋１］における画線Ｃ［ｈ，ｖ＋１］の追加を行う。すなわち、図２１（ｃ）に示されるように、ユニット［ｈ，ｖ＋１］の画線Ａ［ｈ，ｖ＋１］が配置される位置に隣接する領域に、画線Ａ又は画線Ａ’の半分の画線面積を有する画線Ｃが追加される。これにより、ユニット［ｈ，ｖ］とユニット［ｈ，ｖ＋２］間における肉眼視での濃度の不均衡が緩和される。
【００５６】
次に、処理ｆ８にて、ユニット［ｈ，ｖ］に画線Ａ’［ｈ，ｖ］を有し、ユニット［ｈ，ｖ＋１］に画線がなく、かつ、ユニット［ｈ，ｖ＋２］に画線Ａ’［ｈ，ｖ＋２］を有する条件に一致したとき、処理ｆ９にて、ユニット［ｈ，ｖ＋１］における画線Ｃ［ｈ，ｖ＋１］と、画線ａ［ｈ，ｖ＋１］の追加を行う。すなわち、図２１（ｄ）に示されるように、ユニット［ｈ，ｖ＋１］の画線Ａ［ｈ，ｖ＋１］が配置される領域に隣接する位置に、画線Ａ又は画線Ａ’の半分の画線面積を有する画線Ｃが追加され、ユニット［ｈ，ｖ＋１］の画線Ａ’［ｈ，ｖ＋１］が配置される領域に隣接する位置に、画線Ａ又は画線Ａ’の半分の画線面積を有する画線ａが追加される。これにより、ユニット［ｈ，ｖ］とユニット［ｈ，ｖ＋２］間における肉眼視での濃度の不均衡が緩和される。なお、横方向においても画線Ａを画線Ｂとし、画線Ａ’を画線Ｂ’、ステップ数［ｖ］をステップ数［ｈ］に置き換え、同様の処理にて濃度の不均衡が緩和される。
【００５７】
さらに、図２の円内の部分拡大図に示されたように、画線Ｄにおけるシアン（Ｃ）とマゼンタ（Ｍ）それぞれの色成分から成る画線面積率と、画線Ｅにおけるイエロー（Ｙ）の色成分から成る画線面積率によってカラー表現が成されるものである。その際、画線Ｅは、同心円万線の画線幅を連続的に違えることによって表現されている。
【００５８】
第１の真偽判別方法として、図１に示された印刷物１に判別具２を重ね合わせることにより、容易に第１の不可視画像又は第２の不可視画像を発現させて真偽性を判別することができるものである。判別具２は、透明性を有するフィルタに複数の直線が万線状に一方向に沿って形成された万線フィルタ又はレンチキュラーレンズ等である。万線フィルタ又はレンチキュラーレンズ等を重ねることなく印刷物１の印刷模様３を通常の可視条件において目視により観察すると、図２に示されたように、任意の図形、文字及び写真階調画像等から成る印刷模様３の可視画像が視認される。そして、印刷物１上に判別具２を所定の角度（これを０度とする）をもって重ね合わせると、図３（ａ）に示されたような第１の不可視画像４が可視画像となって発現する。また、印刷物１上に判別具２を所定の角度に対して９０度を成す角度を持って重ね合わせると、図３（ｂ）に示されたような第２の不可視画像５が可視画像となって発現する。第１の不可視画像４及び第２の不可視画像５がネガポジ状のどちらかに見えるのは、判別具２と印刷物１との間の相対的な位置によって生ずるものであり、本発明の効果の範囲内である。
【００５９】
上記説明では、画線Ａと、画線Ａ’と、画線Ｂと、画線Ｂ’の構成によって第１の不可視画像４及び第２の不可視画像５を形成しているが本発明はこれに限定されることなく、図２２に示すように画線Ａと、画線Ａ’で第１の不可視画像のみの構成又は画線Ｂと、画線Ｂ’によって第２の不可視画像のみの構成であってもよい。つまり、下記のＩ）乃至ＩＩＩ）のいずれか一つによって形成することができる。
【００６０】
Ｉ）は、第１の画線、第２の画線及び第３の画線を有し、第１の方向に沿って、一定のピッチで中心を境に対向するように配置された第１の画線及び第２の画線と、第１の画線及び第２の画線が存在しない領域に配置された第３の画線がユニット内に形成され、ユニットは一定のピッチで第１の方向及び第１の方向と直交する第２の方向にマトリクス状に配置されており、ユニットのピッチの１／２又は略１／２のピッチで第１の画像及び第２の画像が形成され、各々のユニットにおける第１の画線と第２の画線は、いずれか一方がオンの場合、他方がオフの関係にあり、かつ、面積が同一又は略同一であり、第１の画線により第１の不可視画像のポジ画像又はネガ画像のいずれか一方が形成され、第２の画線により第１の不可視画像のネガ画像又はポジ画像の他方が形成され、第３の画線により可視画像が形成される。
【００６１】
ＩＩ）は、第３の画線、第４の画線及び第５の画線を有し、第２の方向に沿って、一定のピッチで中心を境に対向するように配置された第４の画線及び第５の画線と、第４の画線及び第５の画線が存在しない領域に配置された第３の画線がユニット内に形成され、ユニットは一定のピッチで第１の方向及び第１の方向と直交する第２の方向にマトリクス状に配置されており、ユニットのピッチの１／２又は略１／２のピッチで第４の画像及び第５の画像が形成され、各々のユニットにおける第４の画線と第５の画線は、いずれか一方がオンの場合、他方がオフの関係にあり、かつ、面積が同一又は略同一であり、第４の画線により第２の不可視画像のポジ画像又はネガ画像のいずれか一方が形成され、第５の画線により第２の不可視画像のネガ画像又はポジ画像の他方が形成され、第３の画線により可視画像が形成される。
【００６２】
ＩＩＩ）は、第１の画線、第２の画線、第３の画線、第４の画線及び第５の画線を有し、第１の方向に沿って、一定のピッチで中心を境に対向するように配置された第１の画線及び第２の画線と、第１の方向と直交する第２の方向に沿って、一定のピッチで中心を境に対向するように配置された第４の画線及び第５の画線と、第１の画線、第２の画線、第４の画線及び第５の画線が存在しない領域に配置された第３の画線がユニット内に形成され、ユニットは一定のピッチで第１の方向及び第１の方向と直交する第２の方向にマトリクス状に配置されており、ユニットのピッチの１／２又は略１／２のピッチで第１の画像及び第２の画像が形成され、ユニットのピッチの１／２又は略１／２のピッチで第４の画像及び第５の画像が形成され、各々のユニットにおける第１の画線と第２の画線は、いずれか一方がオンの場合、他方がオフの関係にあり、かつ、面積が同一又は略同一であり、第４の画線と第５の画線は、いずれか一方がオンの場合、他方がオフの関係にあり、かつ、面積が同一又は略同一であり、第１の画線により第１の不可視画像のポジ画像又はネガ画像のいずれか一方が形成され、第２の画線により第１の不可視画像のネガ画像又はポジ画像の他方が形成され、第４の画線により第２の不可視画像のポジ画像又はネガ画像のいずれか一方が形成され、第５の画線により第２の不可視画像のネガ画像又はポジ画像の他方が形成され、第３の画線により可視画像が形成される。
【００６３】
濃度の不均衡が緩和する画線においては、上記記載のＩ）乃至ＩＩＩ）の場合において下記の構成によって形成することができる。
【００６４】
Ｉ）の場合において、第１の方向に沿って隣接して配置された二つのユニットが、一方のユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第１の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第２の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第１の画線がオン、又は、中央のユニットに対して一方に隣接されたユニット内の第２の画線がオン、他方のユニット内の第２の画線がオンとなり、第１の画線の画線間又は第２の画線の画線間がユニットの略２個分の非画線部が生じた場合において、第１の画線又は第２の画線の画線間の中心に第１の画線又は第２の画線における半分又は略半分の画線面積率、かつ、同色である第１の不可視画像の濃度の不均衡を緩和するための第１の濃度を緩和する画線及び第２の濃度を緩和する画線が配置される。
【００６５】
ＩＩ）の場合において、第２の方向に沿って隣接して配置された二つのユニットが、一方のユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第３の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第４の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第４の画線がオン、又は、中央のユニットに対して一方に隣接されたユニット内の第５の画線がオン、他方のユニット内の第５の画線がオンとなり、第４の画線の画線間又は第５の画線の画線間がユニットの略２個分の非画線部が生じた場合において、第４の画線又は第５の画線の画線間の中心に第４の画線又は第５の画線における半分又は略半分の画線面積率、かつ、同色である第２の不可視画像の濃度の不均衡を緩和するための第３の濃度を緩和する画線及び第４の濃度を緩和する画線が配置される。
【００６６】
ＩＩＩ）の場合において、第１の方向に沿って隣接して配置された二つのユニットが、一方のユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第１の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第２の画線がオンとなり、第１の画線及び第２の画線の画線間がユニットの略１．５個分の非画線部が生じた場合において、第１の画線及び第２の画線の画線間の中心に第１の画線又は第２の画線における半分又は略半分の画線面積率、かつ、同色である第１の不可視画像の濃度の不均衡を緩和するための第２の濃度を緩和する画線が配置され、第１の方向に沿って隣接して配置された三つのユニットが、中央のユニットには第１の画線及び第２の画線が共にオフ、中央のユニットに対して一方に隣接されたユニット内の第１の画線がオン、他方のユニット内の第１の画線がオン、又は、中央のユニットに対して一方に隣接されたユニット内の第２の画線がオン、他方のユニット内の第２の画線がオンとなり、第１の画線の画線間又は第２の画線の画線間がユニットの略２個分の非画線部が生じた場合において、第１の画線又は第２の画線の画線間の中心に第１の画線又は第２の画線における半分又は略半分の画線面積率、かつ、同色である第１の不可視画像の濃度の不均衡を緩和するための第１の濃度を緩和する画線及び第２の濃度を緩和する画線が配置され、第２の方向に沿って隣接して配置された二つのユニットが、一方のユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第３の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第５の画線がオンとなり、第４の画線及び第５の画線の画線間がユニットの略１．５個分の非画線部が生じた場合において、第４の画線及び第５の画線の画線間の中心に第４の画線又は第５の画線における半分又は略半分の画線面積率、かつ、同色である第２の不可視画像の濃度の不均衡を緩和するための第４の濃度を緩和する画線が配置され、第２の方向に沿って隣接して配置された三つのユニットが、中央のユニットには第４の画線及び第５の画線が共にオフ、中央のユニットに対して一方に隣接されたユニット内の第４の画線がオン、他方のユニット内の第４の画線がオン、又は、中央のユニットに対して一方に隣接されたユニット内の第５の画線がオン、他方のユニット内の第５の画線がオンとなり、第４の画線の画線間又は第５の画線の画線間がユニットの略２個分の非画線部が生じた場合において、第４の画線又は第５の画線の画線間の中心に第４の画線又は第５の画線における半分又は略半分の画線面積率、かつ、同色である第２の不可視画像の濃度の不均衡を緩和するための第３の濃度を緩和する画線及び第４の濃度を緩和する画線が配置される。
【００６７】
第２の真偽判別方法として、図２に示された印刷模様３は、光学式スキャナにて解像度１２００ｄｐｉで画像入力され、図４（ａ）に示された１０２４×１０２４ピクセルから成る２４ビットのＲＧＢ画像が生成される。図２に示した印刷物上にある印刷模様３に含まれる画線Ｅは、８０μｍの間隔ｄ１から成る同心円万線で配置され、画線Ｅを構成する同心円万線は細画線かつ、明度の高いイエロー（Ｙ）の色インキで印刷されてあるため目視では同心円万線で構成されていることは視認できない。さらに、明度の低い画線Ａ、画線Ａ’、画線Ｂ、画線Ｂ’及び画線Ｄが同時に刷り重なっているため、それらがカモフラージュ模様となり、画線Ｅを構成する同心円万線が視認されることはない。画線Ａ、画線Ａ’、画線Ｂ、画線Ｂ’及び画線Ｄは、画線Ｅを形成した同心円万線の周波数成分とは異なる周波数成分から成る同心円万線と異なる形状を成す画線群によって形成される。図４（ｂ）は、図４（ａ）に示されたＲＧＢ画像のうちのＢチャンネルをフーリエ変換して得られたＦＦＴパターンである。なお、空間周波数の特徴をわかりやすく説明するため、図４（ｂ）のＦＦＴパターンの第ＩＶ象限には、周波数強度グラフを重ねて表示している。図４（ｂ）の周波数強度グラフに示されたように、強度ピークの逆空間距離ｑｄ１が見られる。これは、図２に示された間隔ｄが逆空間上に現れたものである。ＦＦＴパターン上の強度ピークの逆空間距離については、画像入力に関わる各種パラメータ、すなわち、図２に示された印刷物上にある領域ａ１に備わる８０μｍの間隔ｄを実空間距離としたとき、画像の一辺のピクセル数と、画像の解像度がわかっていれば、数１によっても容易に算出できる。
【００６８】
【数１】
0005768236.tif 000002
【００６９】
図４（ａ）のＲＧＢ画像には図２に示された画線Ｅが含まれるため、画線Ｅに備わる同心円万線の画線の間隔ｄ１がもたらす強度ピークの逆空間距離ｑｄ１は、図４（ｂ）に示されているようにＦＦＴパターンの中心から２７１ピクセルの位置に現れる。また、画線Ａ、画線Ａ’、画線Ｂ、画線Ｂ’及び画線Ｄは、縦の寸法Ｓｖと横の寸法Ｓｈとで囲われた領域、すなわちユニットの中にあるため、縦の寸法Ｓｖがもたらす強度ピークの逆空間距離ｑｖは、図４（ｂ）に示されているようにＦＦＴパターンの中心から６４ピクセルの位置に現れる。さらに、横の寸法Ｓｈがもたらす強度ピークの逆空間距離ｑｈは、図４（ｂ）に示されているようにＦＦＴパターンの中心から６４ピクセルの位置に現れる。このように、画線Ｅと、画線Ａ、画線Ａ’、画線Ｂ、画線Ｂ’及び画線Ｄとでは、異なる空間周波数として顕著に現れる。
【００７０】
（１）実施の形態１
本実施の形態１では、第１の真偽判別方法と第２の真偽判別方法とに関わる画線構成をより具体的に説明する。図５及び図６は、本発明の画線構成をより詳細に説明するために印刷模様３の一部を部分的に拡大した模式図である。画線Ａ、画線Ａ’、画線Ｂ、画線Ｂ’及び画線Ｄは、縦の寸法Ｓと横の寸法Ｓとで囲われた領域、すなわちユニットの中にあり、画線Ｅは、間隔ｄを成す同心円で構成している。
【００７１】
まず、第１の真偽判別方法として、図５（ａ）に示されたように、印刷物上の所定の位置に、判別具２であるレンチキュラーレンズにおける各レンズの中心線７が画線Ａの中心に一致するように載置する。この場合、図５（ｂ）に示されたようにレンチキュラーレンズの作用によって画線Ａが拡大された状態となるため、画線Ａにより構成されている第１の不可視画像である「Ａ」の文字を確認することができることとなる。その際、可視画像を構成していた画線Ｄは、レンチキュラーレンズの各レンズの中心線７と一致せず、判別具２の真上から視認されることはない。また、画線Ａ’が拡大されるように、縦軸方向に沿って判別具２の各レンズの中心線７が画線Ａ’の中心と一致するように移動させた場合、画線Ａ’により視認された第１の不可視画像がネガポジ反転して視認される。また、画線Ａ及び画線Ａ’は明度の低いブラック（Ｋ）の色インキで印刷され、画線Ｅは明度の高いイエロー（Ｙ）で印刷されていることから、判別具２であるレンチキュラーレンズにおけるイエロー（Ｙ）は、明度差の違いによりほとんど視認されることはなく、第１の真偽判別方法に何ら影響されることはない。さらに、第２の真偽判別方法を有効に作用させるものとして、間隔ｄは寸法Ｓよりも短い距離となっている。
【００７２】
また、第１の真偽判別方法として、図６（ａ）に示されたように、印刷物上の所定の位置に、判別具２であるレンチキュラーレンズにおける各レンズの中心線７が画線Ｂの中心に一致するように載置する。この場合、図６（ｂ）に示されたようにレンチキュラーレンズの作用によって画線Ｂが拡大された状態となるため、画線Ｂにより構成されている第２の不可視画像である「Ｂ」の文字を確認することができることとなる。その際、可視画像を構成していた画線Ｄは、レンチキュラーレンズの各レンズの中心線７と一致せず、判別具２の真上から視認されることはない。また、画線Ｂ’が拡大されるように、縦軸方向に沿って判別具２の各レンズの中心線７が画線Ｂ’の中心と一致するように移動させた場合、画線Ｂ’により視認された第２の不可視画像がネガポジ反転して視認される。また、画線Ｂ、画線Ｂ’は明度の低いブラック（Ｋ）の色インキで印刷され、画線Ｅは明度の高いイエロー（Ｙ）で印刷されていることから、判別具２であるレンチキュラーレンズにおけるイエロー（Ｙ）は、明度差の違いによりほとんど視認されることはなく、第１の真偽判別方法に何ら影響されることはない。さらに、第２の真偽判別方法を有効に作用させるものとして、間隔ｄは寸法Ｓよりも短い距離となっている。
【００７３】
ここで判別具２は、レンチキュラーレンズに限らず、例えば、万線フィルタであっても同様の効果が得られる。この万線フィルタの場合は、フィルタ上の万線に該当する部分が可視画像を構成する画線を隠蔽することで、不可視画像を構成する画線のみを確認できることとなるが、可視画像を完全には隠蔽することができずに若干視認されてしまうことがある。ただし、これによって本発明の効果を損なうことはないため、簡易的に判別を行うには、万線フィルタを用いても充分である。
【００７４】
可視画像を構成する画線Ｄは、意匠性を備え、単色の模様の他、網点、グレースケール的に適当な濃度で着色された相対的な写真階調、ランダム・ドットのディザ法等公知の表現方法から成る連続階調画像を適用できる。すなわち、連続階調を有する有意味な可視画像は、ハイライトからシャドーの連続階調を有していれば顔画像、文字、数字、図柄、絵柄、ロゴマーク等、特に限定されるものではない。可視画像は、文字、数字、図柄、絵柄、ロゴマーク等、特に限定されるものではない。なお、身分証明書、入場券等の本人確認が必要とされる印刷物を形成する場合は、連続階調を有する有意味な可視画像に顔画像とし、不可視画像を個人情報や発行日とすることが好ましい。本発明の連続階調を有する偽造防止用印刷物の印刷方式は、インクジェットプリンタ、レーザプリンタ、オフセット印刷機等、特に限定されるものではない。本発明の連続階調を有する偽造防止用印刷物の基材は、紙、プラスチック等、特に限定されるものではない。
【００７５】
（２）実施の形態２
本実施の形態２は、第２の真偽判別方法において不可視情報の情報量を増やすための施策である。図７は、印刷模様３に二種類の画線領域をもって構成された状態が示されたもので、本発明の画線構成をより詳細に説明するために印刷模様３の一部を部分的に拡大し、かつ説明し易いように画線Ｅを黒ベタで表現した模式図である。
【００７６】
図７に示された二種類の画線領域で構成された印刷模様３は、光学式スキャナにて解像度１２００ｄｐｉで画像入力され、図８（ａ）に示された１０２４×１０２４ピクセルから成る２４ビットのＲＧＢ画像が生成される。図７に示された印刷物１上にある高明度の色インキから成る画像の領域ａ１は、８０μｍの間隔ｄ１から成る同心円万線で配置され、領域ａ２は、１００μｍの間隔ｄ２から成る同心円万線で配置され、領域ａ１及び領域ａ２を構成する同心円万線は細画線かつ、明度の高い色インキで印刷されてあるため目視では同心円万線で構成されていることは視認できない。さらに、明度の低い画線Ａ、画線Ａ’、画線Ｂ、画線Ｂ’及び画線Ｄが同時に刷り重なっているため、それらがカモフラージュ模様となり、領域ａ１及び領域ａ２を構成する同心円万線が視認されることはない。画線Ａ、画線Ａ’、画線Ｂ、画線Ｂ’及び画線Ｄは、画線Ｅを形成した同心円万線の周波数成分とは異なる周波数成分によって形成される。なお、間隔ｄ１及び間隔ｄ２は、の寸法Ｓよりも小さいことが望ましい。
【００７７】
図８（ｂ）は、図８（ａ）に示されたＲＧＢ画像のうちのＢチャンネルをフーリエ変換して得られたＦＦＴパターンである。図４と同様に、空間周波数の特徴をわかりやすく説明するため、図８（ｂ）のＦＦＴパターンの第ＩＶ象限には、周波数強度グラフを重ねて表示している。図８（ｂ）の周波数強度グラフに示されたように、強度ピークの逆空間距離ｑｄ１と逆空間距離ｑｄ２が見られる。
【００７８】
数１の算出でも示されるように、図８（ａ）のＲＧＢ画像には図７に示された領域ａ１が含まれているため、領域ａ１に備わる同心円万線の画線の間隔ｄ１がもたらす強度ピークの逆空間距離ｑｄ１は、図８（ｂ）に示されているようにＦＦＴパターンの中心から２７１ピクセルの位置に現れる。さらに、図８（ａ）のＲＧＢ画像には図７に示された領域ａ２も含まれているため、領域ａ２に備わる同心円万線の画線の間隔ｄ２がもたらす強度ピークの逆空間距離ｑｄ２は、図８（ｂ）に示されているようにＦＦＴパターンの中心から２１７ピクセルの位置に現れる。
【００７９】
また、図９は、印刷模様３に三種類の画線領域をもって構成された状態が示されたもので、本発明の画線構成をより詳細に説明するために印刷模様３の一部を部分的に拡大し、かつ説明し易いように画線Ｅを黒ベタで表現した模式図である。
【００８０】
図９に示された三つの領域で構成された印刷模様３は、光学式スキャナにて解像度１２００ｄｐｉで画像入力され、図１０（ａ）に示された１０２４×１０２４ピクセルから成る２４ビットのＲＧＢ画像が生成される。図９に示された印刷物１上にある高明度の色インキから成る画像の領域ａ１は、８０μｍの間隔ｄ１から成る同心円万線で配置され、領域ａ２は、１００μｍの間隔ｄ２から成る同心円万線で配置され、領域ａ３は、１３０μｍの間隔ｄ３から成る同心円万線で配置され、領域ａ１、領域ａ２及び領域ａ３を構成する同心円万線は細画線かつ、明度の高い色インキで印刷されてあるため目視では同心円万線で構成されていることは視認できない。さらに、明度の低い画線Ａ、画線Ａ’、画線Ｂ、画線Ｂ’及び画線Ｄが同時に刷り重なっているため、それらがカモフラージュ模様となり、領域ａ１、領域ａ２及び領域ａ３を構成する同心円万線が視認されることはない。画線Ａ、画線Ａ’、画線Ｂ、画線Ｂ’及び画線Ｄは、画線Ｅを形成した同心円万線の周波数成分とは異なる周波数成分によって形成される。なお、間隔ｄ１、間隔ｄ２及び間隔ｄ３は、ユニットの寸法Ｓよりも小さいことが望ましい。
【００８１】
図１０（ｂ）は、図１０（ａ）に示されたＲＧＢ画像のうちのＢチャンネルをフーリエ変換して得られたＦＦＴパターンである。図４又は図８と同様に、空間周波数の特徴をわかりやすく説明するため、図１０（ｂ）のＦＦＴパターンの第ＩＶ象限には、周波数強度グラフを重ねて表示している。図１０（ｂ）の周波数強度グラフに示されたように、強度ピークの逆空間距離ｑｄ１と逆空間距離ｑｄ２と逆空間距離ｑｄ３が見られる。
【００８２】
数１の算出でも示されるように、図１０（ａ）のＲＧＢ画像には図９に示された領域ａ１が含まれているため、領域ａ１に備わる同心円万線の画線の間隔ｄ１がもたらす強度ピークの逆空間距離ｑｄ１は、図１０（ｂ）に示されているようにＦＦＴパターンの中心から２７１ピクセルの位置に現れる。さらに、図１０（ａ）のＲＧＢ画像には図９に示された領域ａ２も含まれているため、領域ａ２に備わる同心円万線の画線の間隔ｄ２がもたらす強度ピークの逆空間距離ｑｄ２は、図１０（ｂ）に示されているようにＦＦＴパターンの中心から２１７ピクセルの位置に現れる。またさらに、図１０（ａ）のＲＧＢ画像には図９に示された領域ａ３も含まれているため、領域ａ３に備わる同心円万線の画線の間隔ｄ３がもたらす強度ピークの逆空間距離ｑｄ３は、図１０（ｂ）に示されているようにＦＦＴパターンの中心から１６７ピクセルの位置に現れる。
【００８３】
また、図１１は、図１０の模式図と同様に、三種類の領域から成り、図９の画線Ｅと同じく、８０μｍの間隔ｄ１から成る同心円万線で配置された領域ａ１と、１００μｍの間隔ｄ２から成る同心円万線で配置された領域ａ２と、１３０μｍの間隔ｄ３から成る同心円万線で配置された領域ａ３とによって構成されている。図１１の模式図に示されたように、領域ａ１、領域ａ２、領域ａ３それぞれの同心円万線の中心点Ｐが等しく、かつ領域ａ１、領域ａ２、領域ａ３のそれぞれが、同心円万線の中心点Ｐから均等に三等分されて配置されている。この場合においても、領域ａ１、領域ａ２及び領域ａ３の空間周波数の特徴を明瞭に識別することができる。
【００８４】
つまり、図９及び図１１の同心円画線を用いた偽造防止用印刷物は、同心円万線が配置される領域が、複数分割され、複数に分割された各領域は、同一の中心点を共有する同心円万線が形成され、複数分割された各領域の同心円万線の画線の間隔は、領域ごとに異なることを特徴としている。
【００８５】
さらに、図１２は、図９及び図１１の模式図と同様に、三種類の領域から成り、図１１の画線Ｅと同じく、８０μｍの間隔ｄ１から成る同心円万線で配置された領域ａ１と、１００μｍの間隔ｄ２から成る同心円万線で配置された領域ａ２と、１３０μｍの間隔ｄ３から成る同心円万線で配置された領域ａ３とによって構成されている。図１２の模式図に示されたように、領域ａ１、領域ａ２、領域ａ３それぞれの同心円万線の中心点Ｐが異なり、かつ、領域ａ１、領域ａ２、領域ａ３のそれぞれが、同じ領域面積を持って配置されている。この場合においても、領域ａ１、領域ａ２、領域ａ３の空間周波数の特徴を明瞭に識別することができる。
【００８６】
つまり、図１２の同心円画線を用いた偽造防止用印刷物は、同心円万線が配置される領域が、複数分割され、複数に分割された各領域は、領域ごとに異なる中心点を有して同心円万線が形成され、複数分割された各領域の同心円万線の画線の間隔は、領域ごとに異なることを特徴としている。
【００８７】
なお、図９、図１１及び図１２の模式図に示されたそれぞれの領域は、実施の形態１に示されたように、同心円万線の間隔ｄ１の範囲でそれぞれ個々の画線の中心線から画線幅を連続的に違えることによって連続階調が表現されるものである。
【００８８】
上記説明では、最も明度の高い所定の色要素であるイエロー（Ｙ）に同心円万線から成る画線Ｅを形成し、残りの色素であるシアン（Ｃ）及びマゼンタ（Ｍ）に所定の位置から成る画線Ｄを形成して説明しているが、本発明は上記構成に限定されることなく、複数の色要素のうち、最も明度の高い所定の色要素を抽出し、所定の色要素から成る画像が埋め込むべき情報に応じた周波数成分が抽出されるように形成すればよい。また、同心円万線の画線の間隔が、５０μｍ〜３５０μｍであり、あることが好ましい。
【００８９】
本発明の偽造防止用印刷物は、同心円万線の画線の間隔は、埋め込むべき情報ごとに、あらかじめ設定された複数組の間隔の中から選択されている。例えば、図１６のデータテーブルに示されたように、図４（ｂ）に示されたＦＦＴパターンを得るためのデータとしてはCode 1が適用され、図８（ｂ）に示されたＦＦＴパターンを得るためのデータとしてはCode 2が適用され、図１０（ｂ）に示されたＦＦＴパターンを得るためのデータとしてはCode 3が適用される。このデータテーブルに埋め込むべき情報が多く登録されているほど真偽判別用の情報を活用できるものである。
【００９０】
本発明は、面表現の領域において同心円万線、すなわち規則性を有する複数本の細画線を有することにより、スキャナ、複写機等のデジタル機器による高解像度入力画像では識別可能であるが、人間にとって視覚で認識困難な微細かつ規則性を有する部分を付与し、得られた印刷物に対してデジタル機器上で証券用線画の間隔の相関を分析し、印刷物に埋め込まれた情報を識別することで真偽判別が可能であり、また、その情報に基づき偽造等に利用する複写機等デジタル機器の動作停止等のアクションを可能とするものである。
【００９１】
（３）実施の形態３
本実施の形態３は、複数の領域がリング状に配置し、かつ、それぞれの領域の境界において、それぞれの領域に備わる同心円万線が自然な連続性が保たれている位置関係について述べるものである。本実施の形態３について、図面を用いて詳細に説明する。
【００９２】
本発明における領域に備わる同心円万線は、イエロー（Ｙ）のような明度の高い色インキで印刷されるので、肉眼視において全体的な連続階調は視認できても画線形状を識別できるものではない。しかし、画線の位置関係により更に識別できないようにすることもできる。図１３は、中心点Ｐから同じ距離を持って形成された同心円万線に見えるが、実際には図９、図１１及び図１２の模式図と同様に、三種類の領域によって構成されている。図９の画線Ｅと同じく、８０μｍの間隔ｄ１から成る同心円万線で配置された領域ａ１と、１００μｍの間隔ｄ２から成る同心円万線で配置された領域ａ２と、１３０μｍの間隔ｄ３から成る同心円万線で配置された領域ａ３とによって構成されている。
【００９３】
図１３（ａ）の模式図は、領域ａ１、領域ａ２、領域ａ３それぞれの同心円万線の中心点Ｐが等しく、かつ、中心点Ｐから領域ａ１、領域ａ２、領域ａ３の順にリング状に配置されたものである。まず、領域ａ１は中心点Ｐから間隔ｄ１で形成された同心円万線である。領域ａ１の外側に、領域ａ１の同心円万線の間隔ｄ１と領域ａ２の同心円万線の間隔ｄ２との平均値からなる補間間隔Ｘ１が設けられ領域ａ２がリング状に配置される。領域ａ２は間隔ｄ２で形成された同心円万線である。領域ａ２の外側に、領域ａ２の同心円万線の間隔ｄ２と領域ａ３の同心円万線の間隔ｄ３との平均値からなる補間間隔Ｘ２が設けられ領域ａ３がリング状に配置される。領域ａ３は間隔ｄ３で形成された同心円万線である。
【００９４】
一方、図１３（ｂ）の模式図は、領域ａ３、領域ａ２、領域ａ１それぞれの同心円万線の中心点Ｐが等しく、かつ、中心点Ｐから領域ａ３、領域ａ２、領域ａ１の順にリング状に配置されたものである。まず、領域ａ３は中心点Ｐから間隔ｄ３で形成された同心円万線である。領域ａ３の外側に、領域ａ３の同心円万線の間隔ｄ３と領域ａ２の同心円万線の間隔ｄ２との平均値からなる補間間隔Ｘ２が設けられ領域ａ２がリング状に配置される。領域ａ２は間隔ｄ２で形成された同心円万線である。領域ａ２の外側に、領域ａ２の同心円万線の間隔ｄ２と領域ａ１の同心円万線の間隔ｄ１との平均値からなる補間間隔Ｘ１が設けられ領域ａ１がリング状に配置される。領域ａ１は間隔ｄ１で形成された同心円万線である。
【００９５】
これにより、図１３（ａ）及び図１３（ｂ）の画線構成は、領域ａ１、領域ａ２及び領域ａ３が順にリング状に配置していながらも、それぞれの領域の境界において同心円万線が自然な連続性が保たれている。また、図１３（ａ）及び図１３（ｂ）の画線構成はそれぞれ等しく、領域ａ１、領域ａ２及び領域ａ３の空間周波数の特徴を明瞭に識別することができる。
【００９６】
なお、図１３（ａ）及び図１３（ｂ）の模式図に示されたそれぞれの領域は、実施の形態１に示されたように、同心円万線の間隔ｄ１の範囲でそれぞれ個々の画線の中心線から画線幅を連続的に違えることによって連続階調が表現されるものである。
【００９７】
つまり、図１３の同心円画線を用いた偽造防止用印刷物は、同心円万線が配置される領域が、リング状に複数分割され、複数に分割された各領域は、同一の中心点を共有する同心円万線が形成され、複数に分割された各領域の境界において、隣り合う一方の領域に備わる同心円万線の間隔と、他方の領域に備わる同心円万線の間隔との平均値からなる補間領域が設けられ、境界において同心円万線の連続性が保たれていることを特徴とする。
【００９８】
（４）実施の形態４
上述した実施の形態１乃至実施の形態３で示されたように、本発明は連続階調画像に対してあらかじめ定められた埋め込むべき情報を付与するもので、本実施の形態４では、作製装置と作製方法について説明する。
【００９９】
本実施の形態４における作製装置は、図１４のブロック図に示されるように、画像入力手段Ｍ１、第１の情報入力手段Ｍ２、第２の情報入力手段Ｍ３、出力手段Ｍ４、表示手段Ｍ５、編集手段Ｍ６、書式データベースＭ７及び通信インターフェースＭ８を備えている。編集手段Ｍ６は、色分解手段Ｍ６ａ、第１の情報埋め込み手段Ｍ６ｂ、第２の情報埋め込み手段Ｍ６ｃ及び画像合成手段Ｍ６ｄを有する。
【０１００】
画像入力手段Ｍ１は、偽造防止用印刷物の可視画像及び同心円万線のモチーフとなる画像が入力される。画像入力手段Ｍ１は、カメラ、デジタルカメラ、スキャナ等であり、特に限定されるものではない。また、後述する書式データベースと同じパソコン内に登録されている個人情報が入力された個人情報データベース、通信インターフェースによってあらかじめ個人情報が入力された外部データベースサーバ等から可視情報を得ることができる。
【０１０１】
第１の情報入力手段Ｍ２は、キーボード等からの入力、また、後述する書式データベースＭ７と同じパソコン内に登録されている画像又はテキストの不可視情報が入力されたデータベース、通信インターフェースＭ８よってあらかじめ不可視情報が入力された外部のデータベースサーバから第１の不可視画像及び／又は第２の不可視画像を得ることができる。
【０１０２】
第２の情報入力手段Ｍ３は、埋め込むべき情報に応じた周波数成分が抽出されるように設定された所定の間隔を有する同心円万線の情報を入力する。例えば、キーボード等からの入力、また、後述する書式データベースＭ７と同じパソコン内に登録されている情報が入力されたデータベース（図示せず）、通信インターフェースよってあらかじめ定められた埋め込むべき情報が入力された外部データベースサーバ（図示せず）から情報を得ることができる。なお、同じパソコン内に登録されている情報が入力されたデータベースは、記憶手段（図示せず）に設けられ、埋め込むべき情報に応じた周波数成分が抽出されるように設定された所定の間隔を有する同心円万線の情報が保存されている。
【０１０３】
出力手段Ｍ４は、色チャンネルとして複数保持できるドキュメント・ファイルに書き出し、又はドキュメント・ファイルが、所定の色インキ（例えば、シアン（Ｃ）、マゼンタ（Ｍ）、イエロー（Ｙ）及びブラック（Ｋ））で基材に刷り重なって出力される。ドキュメント・ファイルの形式は特に限定されるものではない。
【０１０４】
表示手段Ｍ５は、パソコンのモニタ、専用のモニタ等、特に限定されるものではない。
【０１０５】
色分解手段Ｍ６ａは、画像入力手段Ｍ１で得られたモチーフとなる画像を同心形万線に形成するための第１の色インキの画像データと、第１の色インキより低明度の可視画像を形成するための第２のインキの画像データに色分解する。
【０１０６】
第１の情報埋め込み手段Ｍ６ｂは、第１の不可視画像に第１の画線（画線Ａ）、第２の画線（画線Ａ’）を設定し、及び／又は第２の不可視画像に第４の画線（画線Ｂ）、第５の画線（画線Ｂ’）を設定する。各画線が設定された第１の不可視画像及び／又は第２の不可視画像に第２の色インキ（明度の低い所定の色要素）を設定し、第１の不可視画像データ及び／又は第２の不可視画像データを生成する。第１の不可視画像及び／又は第２の不可視画像において、例えば発行日付等のタイムスタンプなどを埋め込み情報とし、第１の情報入力手段Ｍ２から、例えばキーボードからの入力又は通信インターフェースＭ８からの通信情報にて得る。濃度を緩和する画線を形成する場合は、第１の情報埋め込み手段Ｍ６ｂは、第１の不可視画像に第１の画線（画線Ａ）、第２の画線（画線Ａ’）、第１の濃度を緩和する画線（ａ）及び第２の濃度を緩和する画線（Ｃ）を設定し、及び／又は第２の不可視画像に第４の画線（画線Ｂ）、第５の画線（画線Ｂ’）、第３の濃度を緩和する画線（ｂ）及び第４の濃度を緩和する画線（Ｃ）を設定する。各画線が設定された第１の不可視画像及び／又は第２の不可視画像に第２の色インキ（明度の低い所定の色要素）を設定し、第１の不可視画像データ及び／又は第２の不可視画像データを生成する。
【０１０７】
第２の情報埋め込み手段Ｍ６ｃは、色分解手段Ｍ６ａにて同心形万線に形成するための第１の色インキ（最も明度の高い所定の色要素）の画像データに、埋め込むべき情報に応じた周波数成分が抽出されるように設定された所定の間隔を有する同心円万線の情報が第２の情報入力手段Ｍ３によって入力され、同心円万線データを生成される。第１の色インキより低明度の可視画像を形成するための第２のインキの画像データに同心円万線と異なる少なくとも一つの画線群データを生成する。
【０１０８】
画像合成手段Ｍ６ｄは、第１の不可視画像データ及び／又は第２の不可視画像データと、同心形万線データ（最も明度の高い所定の色要素）及び可視画像を形成するための第２のインキの画像データ（画線群データ）とを合成してドキュメント・ファイルを生成する。例えば、最も明度の高い色要素がイエロー成分とした同心円万線データと、残りの色素がマゼンタ成分の画線群データ及びシアン成分の画線群データと、第１の不可視画像及び／又は第２の不可視画像が施されたブラック成分の画線群データとを合成してドキュメント・ファイルを生成する。
【０１０９】
書式データベースＭ７は、カラー画像入力手段Ｍ１、第１の情報入力手段Ｍ２及び第２の情報入力手段Ｍ３以外に必要なデータが格納されている。具体的には、例えばカード台紙模様を編集手段Ｍ６に送り、画像合成手段Ｍ６ｄにて印刷模様３、印刷画像４又は印刷画像５と合成される。
【０１１０】
通信インターフェースＭ８は、ＲＳ−２３２Ｃ、ＩＥＥＥ１３９４等であり、特に限定されるものではない。
【０１１１】
本実施の形態による作製方法は、図１４に示された作製装置を用いて、図１５のフローチャートに示された処理ステップによって実行されるものである。
【０１１２】
まず、ステップｆ１では、画像入力手段Ｍ１にて本発明の偽造防止用印刷物の可視画像及び同心円万線のモチーフとなる画像を入力する。例えば、入力されるのはビットマップ多値画像であり、画像の保存形式、画素数等に何ら制限はない。さらに、ステップｆ４に示された可視画像及び同心円万線のモチーフとなる画像の色分解は、図１４に示された編集手段Ｍ６に含まれる色分解手段Ｍ６ａによって行われる。ステップｆ４は、色分解手段Ｍ６ａによって可視画像及び同心円万線のモチーフとなる画像を印刷可能な所定の色チャンネルに色分解され、モチーフとなる画像を同心形万線に形成するための第１の色インキの画像データ（最も明度の高い色要素）と、第１の色インキより低明度の可視画像を形成するための第２のインキの画像データ（残りの色素）に色分解する。
【０１１３】
次に、ステップｆ３では、第１の情報入力手段Ｍ２にて、図２に示された画線Ａ、画線Ａ’、画線Ｂ及び画線Ｂ’の領域に配置される不可視画像が構築される。さらに、濃度を緩和する画線を形成する場合は、第１の濃度を緩和する画線、第２の濃度を緩和する画線、第３の濃度を緩和する画線及び第４の濃度を緩和する画線を設定する。不可視画像への構築は、図１４に示された、編集手段Ｍ６に含まれる画像合成手段Ｍ６ｄによって行われる。
【０１１４】
次に、ステップｆ７にて、画線Ａ、画線Ａ’、画線Ｂ及び画線Ｂ’が生成される。画線の生成は、図１４に示された、編集手段Ｍ６に含まれる画像合成手段Ｍ６ｄによって行われる。
【０１１５】
次に、ステップｆ２では、第２の情報入力手段Ｍ３にて埋め込むべき情報に応じた周波数成分が抽出されるように設定された所定の間隔を有する同心円万線の情報を入力する。例えば、入力される情報は、キーボード等からの入力、また、書式データベースＭ７と同じパソコン内に登録されている情報が入力されたデータベース（図示せず）、通信インターフェースＭ８によってあらかじめ情報が入力された外部データベースサーバ（図示せず）から情報を得ることができる。なお、同じパソコン内に登録されている情報が入力されたデータベースは、記憶手段（図示せず）に設けられ、埋め込むべき情報に応じた周波数成分が抽出されるように設定された所定の間隔を有する同心円万線の情報が保存されている。
【０１１６】
さらに、図１４に示された編集手段Ｍ６に含まれる第２の情報埋め込み手段Ｍ６ｃによって、ステップｆ５では、シアン用画像とマゼンタ用画像によって形成される画線群データである画線Ｄが生成され、ステップｆ６では、抽出された情報を最も明度の高い所定の色要素に同心円万線データを生成する。例えば、入力された埋め込むべき情報によって定義されたイエロー用画像のための画線Ｅが生成される。
【０１１７】
次に、ステップｆ８乃至１０において、ステップｆ４の色分解で得られた最も明度の高い所定の色要素及び残りの色素に各チャンネル出力がされる。次に、ステップｆ１２乃至１４において、ステップｆ８乃至１０で作製した各チャンネル出力を各画線に適用させる。例えば、シアン用画像は、ステップｆ８においてドキュメント・ファイルのシアンチャンネルに出力され、また、ステップｆ４の色分解で得られたマゼンタ用画像は、ステップｆ９においてドキュメント・ファイルのマゼンタチャンネルに出力され、さらに、ステップｆ４の色分解で得られたイエロー用画像は、ステップｆ１０においてドキュメント・ファイルのイエローチャンネルに出力される。さらに、ステップｆ７の画線Ａ、画線Ａ’、画線Ｂ及び画線Ｂ’の生成で得られたブラック用画像は、ステップｆ１１においてドキュメント・ファイルのブラックチャンネルに出力される。
【０１１８】
そして、ステップｆ５で得られた画線Ｄは、ステップｆ１２においてシアンチャンネルに適用され、ステップｆ１３においてマゼンタチャンネルに適用される。そしてさらに、ステップｆ６で得られた画線Ｅは、ステップｆ１４においてイエローチャンネルに適用される。一方、ステップｆ７で得られた画線Ａ、画線Ａ’、画線Ｂ及び画線Ｂ’は、ステップｆ１５においてブラックチャンネルに適用される。
【０１１９】
次に、図１４に示された編集手段Ｍ６に含まれる画像合成手段Ｍ６ｄによって、最も明度の高い所定の色要素に設定された同心円万線データと、最も明度の低い所定の色要素に設定された画線Ａ、画線Ａ’、画線Ｂ及び画線Ｂ’と、残りの色素に設定された少なくとも一つの画線群データを合成してドキュメント・ファイルを生成する。例えば、ステップｆ１６の各チャンネルの合成と、ステップｆ１７のドキュメント・ファイルに書き出しが行われる。こうして生成されたドキュメント・ファイルが、それぞれの色インキで基材に刷り重なることにより情報を埋め込んだカラー印刷物が得られるものである。
【０１２０】
（５）実施の形態５
本実施の形態による認証方法は、図１（ｂ）に示された判別装置Ｒを用いて、図１７のフローチャートに示された処理ステップによって実行されるものである。
【０１２１】
図１７に示されたように、ステップｆ１８として、デジタルカメラ、光学式スキャナ等の読み取り手段Ｒ１によって、あらかじめ定められた埋め込むべき情報が埋め込まれた印刷画像をカラー画像（ＲＧＢ画像）として読み取る。例えば、１２００ｄｐｉというような高解像度で、１０２４×１０２４ピクセルの画像サイズでＲＧＢ画像として読み取りを行う。
【０１２２】
ステップｆ１９として、ステップｆ１８で、読み取られたカラー画像（ＲＧＢ画像）から最も明度の高い色要素のグレースケール画像を抽出する。例えば、Ｂ（ブルー）チャンネルのグレースケール画像の抽出を行う。
【０１２３】
ステップｆ２０として、演算手段Ｒ３に含まれる変換手段（図示せず）によって、ステップｆ１９で抽出されたグレースケール画像（例えば、Ｂ（ブルー）チャンネル）をフーリエ変換し、ＦＦＴパターンを生成する。
【０１２４】
ステップｆ２１として、演算手段Ｒ３に含まれる解析手段（図示せず）によって、ステップｆ２０で作成されたＦＦＴパターンに対し、周波数成分の抽出を行う。
【０１２５】
ステップｆ２２として、演算手段Ｒ３に含まれる判定手段（図示せず）によって、抽出された周波数成分と、演算手段Ｒ３に含まれる記憶手段（図示せず）に記憶された真偽判別データ（周波数成分）を比較照合することで偽造防止用印刷物の認証が行われる。
【０１２６】
周波数成分は、同心円状の画線で形成された領域の成分であるため、従来よりもはっきりとした周波数成分が抽出することができるため、あらかじめ定められた周波数成分とを比較照合上で誤認識することがない。
【符号の説明】
【０１２７】
１          印刷物
２          判別具
３          印刷模様
４          不可視画像
５          不可視画像
７          中心線
Ａ          画線
Ｂ          画線
Ａ’          画線
Ｂ’          画線
Ｃ          画線
Ｄ          画線
Ｅ          画線
ａ１          領域
ａ２          領域
ａ３          領域
ｄ          間隔
ｄ１          間隔
ｄ２          間隔
ｄ３          間隔
Ｍ１          カラー画像入力手段
Ｍ２          第１の情報入力手段
Ｍ３          第２の情報入力手段
Ｍ４          出力手段
Ｍ５          表示手段
Ｍ６          編集手段
Ｍ６ａ          色分解手段
Ｍ６ｂ          第１の情報埋め込み手段
Ｍ６ｃ          第２の情報埋め込み手段
Ｍ６ｄ          画像合成手段
Ｍ７          書式データベース
Ｍ８          通信インターフェース
Ｐ          中心点
ｑｄ１          逆空間距離
ｑｄ２          逆空間距離
ｑｄ３          逆空間距離
ｑｈ          逆空間距離
ｑｖ          逆空間距離
Ｒ          判別装置
Ｒ１          読み取り手段
Ｒ２          入力手段
Ｒ３          演算手段
Ｒ４          表示手段
Ｓ          寸法
Ｓｈ          寸法
Ｓｖ          寸法
Ｘ１          補間間隔
Ｘ２          補間間隔
【図１】
0005768236.tif 000003
【図２】
0005768236.tif 000004
【図３】
0005768236.tif 000005
【図４】
0005768236.tif 000006
【図５】
0005768236.tif 000007
【図６】
0005768236.tif 000008
【図７】
0005768236.tif 000009
【図８】
0005768236.tif 000010
【図９】
0005768236.tif 000011
【図１０】
0005768236.tif 000012
【図１１】
0005768236.tif 000013
【図１２】
0005768236.tif 000014
【図１３】
0005768236.tif 000015
【図１４】
0005768236.tif 000016
【図１５】
0005768236.tif 000017
【図１６】
0005768236.tif 000018
【図１７】
0005768236.tif 000019
【図１８】
0005768236.tif 000020
【図１９】
0005768236.tif 000021
【図２０】
0005768236.tif 000022
【図２１】
0005768236.tif 000023
【図２２】
0005768236.tif 000024